(57)【要約】【課題】コアネットワーク及び、ブロードバンドネットワークに接続されたホーム基地局装置に接続している移動局装置がコアネットワーク経由でデータを送受信している際に、移動局装置の許可情報が許可である場合には、ホーム基地局装置からブロードバンドネットワーク経由でデータを送受信できる移動通信システム等を提供すること。【解決手段】移動局装置からトラッキングエリアアップデート要求メッセージを送信することにより、コアネットワークへホーム基地局からブロードバンドネットワークのデータの送受信の許可情報を通知することにより、コアネットワーク経由のデータの送受信からブロードバンドネットワーク経由のデータの送受信へ切り替える。【選択図】図１3
2013017091.tif 000002
【特許請求の範囲】
【請求項１】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第１通信経路でデータ通信を行っている場合に、前記位置管理装置が第２通信経路に切り替える許可情報を、前記ホーム基地局装置を介して位置管理装置に送信することを特徴とする移動局装置。
【請求項２】
前記許可情報を、トラッキングエリアアップデート要求メッセージに含めてホーム基地局に送信することを特徴とする請求項１に記載の移動局装置。
【請求項３】
前記許可情報を、サービス要求メッセージに含めてホーム基地局に送信することを特徴とする請求項１に記載の移動局装置。
【請求項４】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワークと、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする位置管理装置。
【請求項５】
前記許可情報は、受信されるトラッキングエリアアップデート要求メッセージに含まれていることを特徴とする請求項４に記載の位置管理装置。
【請求項６】
前記許可情報は、受信されるサービス要求メッセージに含まれていることを特徴とする請求項４に記載の位置管理装置。
【請求項７】
ネットワーク事業者の許可情報が登録されており、
受信された前記移動局装置の許可情報が許可であり、かつ、前記ネットワーク事業者の許可情報が許可である場合に前記位置管理装置に対して第１通信路から第２通信路に切り替えるよう指示をすることを特徴とする請求項４から６の何れか一項に記載の位置管理装置。
【請求項８】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続されるＬＧＷにおいて、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置を、第２通信経路に切り替える指示を位置管理装置から受信した場合に、当該移動局装置の通信経路を第１通信経路から第２通信経路に切り替えることを特徴とするＬＧＷ。
【請求項９】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第２通信経路でデータ通信を行っている場合に、位置管理装置が第１通信経路に切り替える許可情報を、前記ホーム基地局装置を介して位置管理装置に送信することを特徴とする移動局装置。
【請求項１０】
前記許可情報を、トラッキングエリアアップデート要求メッセージに含めてホーム基地局に送信することを特徴とする請求項１に記載の移動局装置。
【請求項１１】
前記許可情報を、サービス要求メッセージに含めてホーム基地局装置に送信することを特徴とする請求項１に記載の移動局装置。
【請求項１２】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷに対して第２通信経路から第１通信経路に切り替えるよう指示することを特徴とする位置管理装置。
【請求項１３】
前記許可情報は、受信されるトラッキングエリアアップデート要求メッセージに含まれていることを特徴とする請求項１２に記載の位置管理装置。
【請求項１４】
前記許可情報は、受信されるサービス要求メッセージに含まれていることを特徴とする請求項１２に記載の位置管理装置。
【請求項１５】
移動局装置と、移動局装置が接続されるホーム基地局と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続されるアクセス制御装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷ及び前記アクセス制御装置に対して第２通信経路から第１通信経路に切り替えるよう指示し、
前記アクセス制御装置は、
前記位置管理装置からの指示に基づいて、前記移動局装置の第１通信経路を確保することを特徴とするアクセス制御装置。
【請求項１６】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
第１通信経路でデータ通信を行っている場合に、前記位置管理装置が第２通信経路に切り替える許可情報を、前記ホーム基地局装置を介して位置管理装置に送信することを特徴とする移動通信システム。
【請求項１７】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする移動通信システム。
【請求項１８】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記ＬＧＷは、前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置を、第２通信経路に切り替える指示を位置管理装置から受信した場合に、当該移動局装置の通信経路を第１通信経路から第２通信経路にＬＧＷが切り替えることを特徴とする移動通信システム。
【請求項１９】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、第２通信経路でデータ通信を行っている場合に、前記位置管理装置が第１通信経路に切り替える許可情報を、前記ホーム基地局装置を介して前記位置管理装置に送信することを特徴とする移動通信システム。
【請求項２０】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷに対して第２通信経路から第１通信経路に切り替えるよう指示することを特徴とする移動通信システム。
【請求項２１】
移動局装置と、移動局装置が接続されるホーム基地局と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷ及び前記アクセス制御装置に対して第２通信経路から第１通信経路に切り替えるよう指示し、
前記アクセス制御装置は、前記位置管理装置からの指示に基づいて、前記移動局装置の第１通信経路を確保することを特徴とする移動通信システム。
【請求項２２】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
第１通信経路でデータ通信を行っている場合に、前記位置管理装置が第２通信経路に切り替える許可情報を、前記ホーム基地局に送信し、
前記位置管理装置は、
第１通信経路でデータ通信を行っている前記移動局装置から、第２通信経路に切り替える移動局装置の許可情報を前記ホーム基地局から受信し、
受信された許可情報に基づいて、前記ＬＧＷに対して第１通信経路から第２通信経路に切り替えるよう指示し、
前記ＬＧＷは、
第１通信経路でデータ通信を行っている前記移動局装置を、第２通信経路に切り替える指示を位置管理装置から受信した場合に、当該移動局装置の通信経路を第１通信経路から第２通信経路に切り替えることを特徴とする移動通信システム。
【請求項２３】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を前記ホーム基地局装置から受信し、
受信された許可情報に基づいて、前記ＬＧＷ及び前記アクセス制御装置に対して第２通信経路から第１通信経路に切り替えるよう指示し、
前記アクセス制御装置は、前記位置管理装置からの指示に基づいて、前記移動局装置の第１通信経路を確保することを特徴とする移動通信システム。
【請求項２４】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
第１通信経路でデータ通信を行っている場合に、前記位置管理装置が第２通信経路に切り替える許可情報を、前記ホーム基地局に送信し、
前記位置管理装置は、
第１通信経路でデータ通信を行っている前記移動局装置から、第２通信経路に切り替える移動局装置の許可情報を前記ホーム基地局から受信し、
受信された許可情報に基づいて、前記ＬＧＷに対して第１通信経路から第２通信経路に切り替えるよう指示し、
前記ＬＧＷは、
第１通信経路でデータ通信を行っている前記移動局装置を、第２通信経路に切り替える指示を位置管理装置から受信した場合に、当該移動局装置の通信経路を第１通信経路から第２通信経路に切り替えることを特徴とする移動通信方法。
【請求項２５】
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を前記ホーム基地局装置から受信し、
受信された許可情報に基づいて、前記ＬＧＷ及び前記アクセス制御装置に対して第２通信経路から第１通信経路に切り替えるよう指示し、
前記アクセス制御装置は、前記位置管理装置からの指示に基づいて、前記移動局装置の第１通信経路を確保することを特徴とする移動通信方法。
【発明の詳細な説明】
【技術分野】
【０００１】
本発明は、移動局装置が接続されたホーム基地局装置を有するホームネットワークと、位置管理装置及びアクセス制御装置が接続されるコアネットワークとがブロードバンドネットワークを介して接続されている移動通信システム等に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳの構成装置として、宅内等に設置する小型基地局であるＨｅＮＢ（Home eNodeB：ホーム基地局）について検討がなされている。
【０００３】
ＨｅＮＢは、フェムトセルと呼ばれる小規模の無線セルを構築し、通常の基地局と同じ無線アクセス技術を用いて、ＵＥ（User Equipment：移動端末装置）を収容する。そして、ブロードバンドネットワークを経由して移動通信システムのコアネットワークに接続し、収容しているＵＥの通信データを中継することができる。
【０００４】
さらに以下の非特許文献２には、ＨｅＮＢでローカルＩＰアクセスを実現するためのアーキテクチャ候補が開示されている。ローカルＩＰアクセスとは、ＨｅＮＢが直接接続されている家庭内ＩＰネットワーク等のネットワーク（以下、「ホームネットワーク」と呼ぶ）へのダイレクトな接続性をＵＥに提供する機能であり、ＵＥは、移動通信システムのコアネットワークを経由せずに、ホームネットワークに接続している他の情報端末（例えば、デジタルビデオレコーダやプリンタ等）と通信することが可能となる。
【０００５】
また、以下の非特許文献２には、ＳＩＰＴＯ（Selected IP Traffic Offload）を実現するためのアーキテクチャの候補が開示されている。ＳＩＰＴＯとは、ＵＥが基地局（ｅＮＢ）に接続しつつ、移動通信システムのコアネットワークを介さずにブロードバンドネットワーク経由で、ｅＮＢに収容しているＵＥにデータ通信を提供する。
【０００６】
また、以下の非特許文献３には、ＳＩＰＴＯの記載があり、ＵＥがＨｅＮＢに接続しつつ、移動通信システムのコアネットワークを介さずに、ホームネットワークを経由してブロードバンドネットワーク経由で、ＨｅＮＢに収容しているＵＥにデータ通信を提供する。
【０００７】
非特許文献３では、ＵＥがｅＮＢからブロードバンドネットワーク経由でデータ通信を行う方法をＳＩＰＴＯ＠ＣＮ（Core Network：コアネットワーク）と記載し、ＨｅＮＢからホームネットワークを経由してブロードバンドネットワーク経由でデータ通信を行う方法をＳＩＰＴＯ＠ＬＮ（Local Network：ローカルネットワーク）と記載している。
【０００８】
ホームネットワークでは、Ｌｏｃａｌ  ＧａｔｅＷａｙ（ＬＧＷ）がブロードバンドネットワークとＨｅＮＢを接続し、データ通信を提供する。ここで、ＵＥが通信中に移動によって異なるＬＧＷに接続されたＨｅＮＢに接続する際には、ＵＥのＩＰアドレスが変更され、データ通信を継続できない。ＵＥが異なるＬＧＷに接続されたＨｅＮＢに接続した場合にもデータ通信を継続するためのハンドオーバ手続について議論されている。
【０００９】
また、非特許文献４には、ＨｅＮＢからブロードバンドネットワーク経由でデータ通信を行う場合（ＳＩＰＴＯ＠ＬＮ）、コアネットワークを管理している移動通信ネットワーク事業者の許可情報や、ブロードバンドネットワークを管理している事業者の許可情報、さらに、ユーザの許可情報について議論されている。
【先行技術文献】
【非特許文献】
【００１０】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 23.859 LIPA Mobility and SIPTO at the Local Network
【非特許文献４】“User interactions for SIPTO@LN acceptance”, 3GPP TSG SA WG2 #85, S2-112455
【発明の概要】
【発明が解決しようとする課題】
【００１１】
従来のオフロード技術である、ｅＮＢからブロードバンドネットワーク経由でデータ通信（ＳＩＰＴＯ＠ＣＮ）は、移動通信ネットワーク事業者の意向のみで、オフロードが決定され、ユーザの意向は反映されていなかった。
【００１２】
ＨｅＮＢからブロードバンドネットワーク経由でデータ通信（ＳＩＰＴＯ＠ＬＮ）の可否の決定は、移動通信ネットワーク事業者、ブロードバンドネットワーク事業者、ユーザの３者の合意が必要となるが、これまで、ユーザがオフロードの可否を通知する手段も、それに基づいてオフロードが開始される手続きもないために、ユーザの意向を反映してオフロードを行うことができなかった。
【００１３】
特に、ＵＥがデータ通信を行っているアクティブ状態の際に、ＵＥのオフロードの可否の意向を反映して、コアネットワーク経由で行われていた通信がブロードバンドネットワーク経由での通信に切り替えられるオフロードや、ブロードバンドネットワーク経由で行われていた通信が怖ネットワーク経由での通信に切り替えられるオフロードの停止を行うことができなかった。
【００１４】
また、ここで求められる、ユーザがオフロードの可否を通知する手段や、それに基づいてオフロードが開始される手続きは、制御メッセージが増加に伴う機器の負荷や、ネットワークリソースの有効活用を考慮すると、新たに複雑な手続きを必要とせず、既存手続きへの変更を必要最低限とする方法であることが望ましい。
【００１５】
本発明は、このような事情を鑑みてなされたもので、その目的は、基地局装置に接続している移動局装置がデータ通信を行っているアクティブ状態において、ユーザの決定に基づいて即時にオフロードの可否を通知し、オフロードを開始もしくは停止してデータ通信を継続する移動通信システム等を提供することである。
【課題を解決するための手段】
【００１６】
上述した課題に鑑み、本発明の移動局装置は、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第１通信経路でデータ通信を行っている場合に、前記位置管理装置が第２通信経路に切り替える許可情報を、前記ホーム基地局装置を介して位置管理装置に送信することを特徴とする。
【００１７】
また、本発明の移動局装置は、前記許可情報を、トラッキングエリアアップデート要求メッセージに含めてホーム基地局に送信することを特徴とする。
【００１８】
また、本発明の移動局装置は、前記許可情報を、サービス要求メッセージに含めてホーム基地局に送信することを特徴とする。
【００１９】
本発明の位置管理装置は、移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワークと、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする。
【００２０】
また、本発明の位置管理装置は、前記許可情報は、受信されるトラッキングエリアアップデート要求メッセージに含まれていることを特徴とする。
【００２１】
また、本発明の位置管理装置は、前記許可情報は、受信されるサービス要求メッセージに含まれていることを特徴とする。
【００２２】
また、本発明の位置管理装置は、ネットワーク事業者の許可情報が登録されており、
受信された前記移動局装置の許可情報が許可であり、かつ、前記ネットワーク事業者の許可情報が許可である場合に前記位置管理装置に対して第１通信路から第２通信路に切り替えるよう指示をすることを特徴とする。
【００２３】
本発明のＬＧＷは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続されるＬＧＷにおいて、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置を、第２通信経路に切り替える指示を位置管理装置から受信した場合に、当該移動局装置の通信経路を第１通信経路から第２通信経路に切り替えることを特徴とする。
【００２４】
本発明の移動局装置は、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第２通信経路でデータ通信を行っている場合に、位置管理装置が第１通信経路に切り替える許可情報を、前記ホーム基地局装置を介して位置管理装置に送信することを特徴とする。
【００２５】
また、本発明の移動局装置は、前記許可情報を、トラッキングエリアアップデート要求メッセージに含めてホーム基地局に送信することを特徴とする。
【００２６】
また、本発明の移動局装置は、前記許可情報を、サービス要求メッセージに含めてホーム基地局装置に送信することを特徴とする。
【００２７】
本発明の位置管理装置は、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷに対して第２通信経路から第１通信経路に切り替えるよう指示することを特徴とする。
【００２８】
本発明の位置管理装置において、前記許可情報は、受信されるトラッキングエリアアップデート要求メッセージに含まれていることを特徴とする。
【００２９】
本発明の位置管理装置において、前記許可情報は、受信されるサービス要求メッセージに含まれていることを特徴とする。
【００３０】
本発明のアクセス制御装置は、
移動局装置と、移動局装置が接続されるホーム基地局と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムに接続されるアクセス制御装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷ及び前記アクセス制御装置に対して第２通信経路から第１通信経路に切り替えるよう指示し、
前記アクセス制御装置は、
前記位置管理装置からの指示に基づいて、前記移動局装置の第１通信経路を確保することを特徴とする。
【００３１】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
第１通信経路でデータ通信を行っている場合に、前記位置管理装置が第２通信経路に切り替える許可情報を、前記ホーム基地局装置を介して位置管理装置に送信することを特徴とする。
【００３２】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする。
【００３３】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記ＬＧＷは、前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第１通信経路でデータ通信を行っている前記移動局装置を、第２通信経路に切り替える指示を位置管理装置から受信した場合に、当該移動局装置の通信経路を第１通信経路から第２通信経路にＬＧＷが切り替えることを特徴とする。
【００３４】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、第２通信経路でデータ通信を行っている場合に、前記位置管理装置が第１通信経路に切り替える許可情報を、前記ホーム基地局装置を介して前記位置管理装置に送信することを特徴とする。
【００３５】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷに対して第２通信経路から第１通信経路に切り替えるよう指示することを特徴とする。
【００３６】
本発明の移動通信システムは、
移動局装置と、移動局装置が接続されるホーム基地局と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を受信し、
受信された許可情報に基づいて、前記ＬＧＷ及び前記アクセス制御装置に対して第２通信経路から第１通信経路に切り替えるよう指示し、
前記アクセス制御装置は、前記位置管理装置からの指示に基づいて、前記移動局装置の第１通信経路を確保することを特徴とする。
【００３７】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
第１通信経路でデータ通信を行っている場合に、前記位置管理装置が第２通信経路に切り替える許可情報を、前記ホーム基地局に送信し、
前記位置管理装置は、
第１通信経路でデータ通信を行っている前記移動局装置から、第２通信経路に切り替える移動局装置の許可情報を前記ホーム基地局から受信し、
受信された許可情報に基づいて、前記ＬＧＷに対して第１通信経路から第２通信経路に切り替えるよう指示し、
前記ＬＧＷは、
第１通信経路でデータ通信を行っている前記移動局装置を、第２通信経路に切り替える指示を位置管理装置から受信した場合に、当該移動局装置の通信経路を第１通信経路から第２通信経路に切り替えることを特徴とする。
【００３８】
本発明の移動通信システムは、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を前記ホーム基地局装置から受信し、
受信された許可情報に基づいて、前記ＬＧＷ及び前記アクセス制御装置に対して第２通信経路から第１通信経路に切り替えるよう指示し、
前記アクセス制御装置は、前記位置管理装置からの指示に基づいて、前記移動局装置の第１通信経路を確保することを特徴とする。
【００３９】
本発明の移動通信方法は、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
第１通信経路でデータ通信を行っている場合に、前記位置管理装置が第２通信経路に切り替える許可情報を、前記ホーム基地局に送信し、
前記位置管理装置は、
第１通信経路でデータ通信を行っている前記移動局装置から、第２通信経路に切り替える移動局装置の許可情報を前記ホーム基地局から受信し、
受信された許可情報に基づいて、前記ＬＧＷに対して第１通信経路から第２通信経路に切り替えるよう指示し、
前記ＬＧＷは、
第１通信経路でデータ通信を行っている前記移動局装置を、第２通信経路に切り替える指示を位置管理装置から受信した場合に、当該移動局装置の通信経路を第１通信経路から第２通信経路に切り替えることを特徴とする。
【００４０】
本発明の移動通信方法は、
移動局装置と、移動局装置が接続されるホーム基地局装置と、ＬＧＷ（Ｌｏｃａｌ  Ｇａｔｅｗａｙ）とを含むホームネットワークと、
位置管理装置と、アクセス制御装置とを含む外部ネットワークに接続するコアネットワークと、
前記ホームネットワーク、前記コアネットワーク及び外部ネットワークに接続するブロードバンドネットワークと、を含む移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
第２通信経路でデータ通信を行っている前記移動局装置から、第１通信経路に切り替える許可情報を前記ホーム基地局装置から受信し、
受信された許可情報に基づいて、前記ＬＧＷ及び前記アクセス制御装置に対して第２通信経路から第１通信経路に切り替えるよう指示し、
前記アクセス制御装置は、前記位置管理装置からの指示に基づいて、前記移動局装置の第１通信経路を確保することを特徴とする。
【発明の効果】
【００４１】
移動通信ネットワーク事業者、ブロードバンドネットワーク事業者、ユーザそれぞれにおいてＨｅＮＢからブロードバンドネットワーク経由でのデータ通信（ＳＩＰＴＯ＠ＬＮ）を許可されていた場合、ＨｅＮＢからブロードバンドネットワーク経由でのデータ通信（ＳＩＰＴＯ＠ＬＮ）に対するＵＥの許可情報を拾い上げ、ＨｅＮＢからブロードバンド経由でデータ通信を開始することができる。
【００４２】
つまり、ＵＥがＨｅＮＢからコアネットワーク経由でデータ通信を行っている際に、ＨｅＮＢからブロードバンドネットワーク経由のデータ通信（ＳＩＰＴＯ＠ＬＮ）に対するＵＥの許可情報（許可）に基づいて、ＨｅＮＢからブロードバンドネットワーク経由（ＳＩＰＴ＠ＬＮ）へ切り替えてデータ通信を継続することができる。
【００４３】
また、ＵＥがＨｅＮＢからブロードバンドネットワーク経由でデータ通信（ＳＩＰＴＯ＠ＬＮ）を行っている際に、ＨｅＮＢからコアネットワーク経由のデータ通信に対するＵＥの許可情報（不許可）に基づいて、ＨｅＮＢからコアバンドネットワーク経由へ切り替えてデータ通信を継続することができる。
【図面の簡単な説明】
【００４４】
【図１】第１実施形態における移動通信システム全体を説明するための図である。
【図２】第１実施形態におけるＭＭＥの機能構成を説明するための図である。
【図３】第１実施形態のＭＭＥにおけるＳＩＰＴＯ許可情報管理テーブルの一例を示した図である。
【図４】第１実施形態におけるＨＳＳの機能構成を説明するための図である。
【図５】第１実施形態のＨＳＳにおけるＳＩＰＴＯ許可情報管理テーブルの一例を示した図である。
【図６】第１実施形態におけるＳＧＷの機能構成を説明するための図である。
【図７】第１実施形態のＳＧＷにおけるＳＩＰＴＯ許可情報管理テーブルの一例を示した図である。
【図８】第１実施形態におけるＬＧＷの機能構成を説明するための図である。
【図９】第１実施形態におけるＨｅＮＢの機能構成を説明するための図である。
【図１０】第１実施形態のＨｅＮＢにおけるＳＩＰＴＯ許可情報管理テーブルの一例を示した図である。
【図１１】第１実施形態におけるＵＥの機能構成を説明するための図である。
【図１２】第１実施形態のＵＥにおけるＳＩＰＴＯ許可情報管理テーブルの一例を示した図である。
【図１３】第１実施形態において処理を説明するための図である。
【図１４】第１実施形態において処理を説明するための図である。
【図１５】第１実施形態において処理を説明するための図である。
【図１６】第１実施形態において処理を説明するための図である。
【図１７】第２実施形態において処理を説明するための図である。
【図１８】第２実施形態において処理を説明するための図である。
【図１９】第２実施形態において処理を説明するための図である。
【図２０】第２実施形態において処理を説明するための図である。
【図２１】第２実施形態において処理を説明するための図である。
【図２２】第３実施形態において処理を説明するための図である。
【発明を実施するための形態】
【００４５】
以下、図面を参照して本発明を実施するための最良の形態について説明する。なお、本実施形態では、一例として、本発明を適用した場合の移動通信システムの実施形態について、図を用いて詳細に説明する。
【００４６】
［１．第１実施形態］
まず、本発明を適用した第１実施形態について、図面を参照して説明する。
【００４７】
［１．１  移動通信システムの概要］
図１は、本実施形態における移動通信システムの概略を説明するための図である。本図に示すように、移動通信システム１は、コアネットワーク３と、ホームネットワーク５と、ブロードバンドネットワーク７とを含んで構成される。
【００４８】
ブロードバンドネットワーク７は、広帯域の通信を実現する有線アクセスネットワークであり、例えばＡＤＳＬ（Asymmetric Digital Subscriber Line）や光ファイバー等によって構築される。ただし、これに限らずＷｉＭＡＸ（Worldwide Interoperability for Microwave Access）などの無線アクセスネットワークであっても良い。
【００４９】
コアネットワーク３は、移動通信事業者が運用する移動通信ネットワークであり、ＭＭＥ（Mobility Management Entity）１０と、ＨＳＳ（Home Subscriber Server）２０と、ＧＷ（Gateway）２５と、ＳＧＷ（Serving Gateway）３０と、ＰＧＷ（Packet data network Gateway）４０とが配置されている。
【００５０】
ＭＭＥ１０は、シグナリングを行うエンティティであり、移動局装置（ＵＥ）の位置管理及びＰＤＮコネクションの確立手続きを主導する位置管理装置である。ＰＤＮコネクションとは、ＵＥ毎にＰＧＷ４０とＵＥ７０との間、もしくは、ホームネットワーク内のＬＧＷ５０とＵＥ７０との間で確立されるユーザＩＰパケットを転送する論理パスのことである。ＰＤＮコネクションの確立には、ＥＰＳベアラや無線ベアラ等のベアラの確立も含まれ、各ベアラは通信速度や帯域等を要素として特定のＱｏＳレベルを設定することができる。
【００５１】
ＨＳＳ２０は、ユーザサブスクリプション情報を管理する。ＭＭＥ１０はＨＳＳ２０にサブスクリプション情報を問合せることにより、サブスクリプション情報の取得を行い、それをもとにアクセス権限照合を行うことができる。
【００５２】
ＧＷ２５は、コアネットワークとブロードバンドネットワークとの間のゲートウェイとして機能する。なお、ＧＷとＳＧＷは物理的に同一ノードで構成されても良い。
【００５３】
ＳＧＷ３０は、ＰＧＷ４０とＨｅＮＢ６０間でパケットを転送するアクセス制御装置である。なお、ＰＧＷとＳＧＷとは物理的に同一ノードで構成される場合もある。
【００５４】
ＰＧＷ４０は、インターネット等の外部ＰＤＮ（Packet Data Network：パケット通信ネットワーク）と接続され、コアネットワークとそれらのＰＤＮとを接続するゲートウェイとして機能し、ＰＧＷ４０は、ＰＤＮからＵＥへ送信されるデータをＰＤＮから受信してＳＧＷ３０に転送するとともに、ＵＥからＰＤＮへ送信されるデータをＳＧＷ３０から受信してＰＤＮへ転送する。例えば図１に示すように、ＰＤＮがインターネットである場合には、インターネットへＰＧＷ４０はインターネットへ接続される。
【００５５】
ホームネットワーク５は、家庭内のホームネットワークや企業などのコーポレートネットワークなどであり、ＬＧＷ（Local Gateway）５０と、ＨｅＮＢ（Home eNodeB）６０と、ＵＥ（User Equipment）７０とを含んで構成される。さらに、ホームネットワーク５は、ブロードバンドネットワーク７に接続されている。
【００５６】
ＬＧＷ５０は、ホームネットワーク５とブロードバンドネットワーク７間のゲートウェイ装置であり、例えばＡＤＳＬモデム内蔵ルータ等の従来のブロードバンドルータとしての機能を備える装置である。
【００５７】
ＨｅＮＢ６０はホームネットワークに設置されながら、コアネットワーク事業者の提供する基地局としてＵＥ７０を収容する。典型的には、フェムトセルを形成する３ＧＰＰ  ＬＴＥ（Long Term Evolution）の基地局などである。
【００５８】
ＵＥ７０は、ＨｅＮＢ６０に接続する移動通信端末であり、３ＧＰＰ  ＬＴＥの通信インタフェースなどを搭載して接続する。
【００５９】
［１．２  装置構成］
続いて、各装置構成について図を用いて簡単に説明する。なお、ＧＷ２５と、ＰＧＷ４０とについては、ＥＰＳを利用した移動通信システムにおける従来の装置と同様に構成されているため、その詳細な説明を省略する。
【００６０】
また、ＬＧＷ５０は、従来のブロードバンドルータ装置と同様に構成されているため、その詳細な説明を省略する。
【００６１】
［１．２．１  ＭＭＥの構成］
図２は、本実施形態におけるＭＭＥ１０の構成を示す。ＭＭＥ１０は、制御部１００に、送受信部１１０と、記憶部１５０とがバスを介して接続されている。
【００６２】
制御部１００は、ＭＭＥ１０を制御するための機能部である。制御部は、記憶部１５０に記憶されている各種プログラムを読み出して実行することにより各種機能を実現する。
【００６３】
送受信部１１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００６４】
記憶部１５０は、ＭＭＥ１０の各種動作に必要なプログラム、データ等を記憶する機能部である。さらに、記憶部１５０には、ＳＩＰＴＯ許可情報管理テーブル１５２が記憶されている。
【００６５】
図３（ａ）、（ｂ）は、ＳＩＰＴＯ許可情報管理テーブル１５２の一例を示した図である。例えば、図３（ａ）では、ＵＥ  ＩＤ（例えば「ＵＥ１」）と、ＡＰＮと（例えば、「インターネット」）と、ベアラＩＤ（例えば、「ベアラＩＤ」）と、ＳＩＰＴＯ許可情報とを対応づけて記憶され、登録されている。
【００６６】
ここで、ＳＩＰＴＯ許可情報には、ＳＩＰＴＯ＠ＬＮを許可するか否かが登録されており、各端末、各ネットワーク（事業者）毎に登録されている。本実施形態の場合は、ＵＥの許可情報（例えば、「不許可」）と、移動通信ネットワーク事業者の許可情報（例えば、「許可」）と、ブロードバンドネットワーク事業者の許可情報（例えば、「許可」）とが含まれている。
【００６７】
これにより、アタッチ時に接続先情報として指定するＡＰＮに対するＳＩＰＴＯの許可情報と、確立されるベアラ情報を管理する。なお、ＳＩＰＴＯ許可情報に含まれる種類はこれより少なくとも良いし、多くても良い。例えば、ブロードバンドネットワーク事業者の許可情報が予め決められている場合には、ＵＥの許可情報と、移動通信ネットワークの事業者の許可情報とを含んでいれば良い。
【００６８】
ここで、「ＵＥ  ＩＤ」は、ＵＥを識別する識別子であり、「ＡＰＮ」は、ユーザがアタッチ要求を送信して接続要求を行う際に送信する接続先情報を示し、「ＵＥの許可情報」は、ＵＥ７０がＨｅＮＢ６０からブロードバンドネットワーク７経由で、データ通信を行うこと（ＳＩＰＴＯ＠ＬＮ）を許可するか、不許可とするかを示している。
【００６９】
「移動通信ネットワーク事業者の許可情報」は、移動通信ネットワーク事業者において、ブロードバンドネットワーク経由の通信（ＳＩＰＴＯ＠ＬＮ）を許可するか、不許可とするかを示しており、「ブロードバンドネットワーク事業者の許可情報」は、ブロードバンドネットワーク事業者において、ブロードバンドネットワーク７経由での通信（ＳＩＰＴＯ＠ＬＮ）を許可するか、不許可とするかを示している。
【００７０】
ここで、ＳＩＰＴＯ許可情報のそれぞれにおいて、総てが許可されていなければＳＩＰＴＯ＠ＬＮを利用することはできない。
【００７１】
さらに、図３（ｂ）では、ＵＥが確立したＰＤＮコネクション単位で、確立したベアラＩＤ、「ＵＥの許可情報」、「移動通信ネットワーク事業者の許可情報」及び「ブロードバンドネットワーク事業者の許可情報」を管理している。すべての許可情報において許可されている場合には、ＵＥは記載されているＰＤＮコネクションによりＨｅＮＢ６０からホームネットワーク、ブロードバンドネットワークを経由し、データ通信を行うことを示している。
【００７２】
以上のように、ＳＩＰＴＯ許可情報管理テーブル１５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【００７３】
なお、本実施形態では、図３（ａ）及び（ｂ）について、ＳＩＰＴＯ許可情報管理テーブル１５２に登録されていることとして説明するが、どちらか一方のみ登録されていても良いことは勿論である。
【００７４】
［１．２．２  ＨＳＳの構成］
続いて、本実施形態におけるＨＳＳ２０の構成を図４に示す。ＨＳＳ２０は、制御部２００に、送受信部２１０と、記憶部２５０とがバスを介して接続されている。
【００７５】
制御部２００は、ＨＳＳ２０を制御するための機能部である。制御部は、記憶部２５０に記憶されている各種プログラムを読み出して実行することにより各種機能を実現する。
【００７６】
送受信部２１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００７７】
記憶部２５０は、ＨＳＳ２０の各種動作に必要なプログラム、データ等を記憶する機能部である。さらに、記憶部２５０には、ＳＩＰＴＯ許可情報管理テーブル２５２が記憶されている。
【００７８】
図５（ａ）及び（ｂ）は、ＳＩＰＴＯ許可情報管理テーブル２５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【００７９】
すなわち、ＳＩＰＴＯ許可情報管理テーブル２５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【００８０】
［１．２．３  ＳＧＷの構成］
続いて、本実施形態におけるＳＧＷ３０の構成を図６に示す。ＳＧＷ３０は、制御部３００に、第１送受信部３１０と、第２送受信部３２０と、記憶部３５０とがバスを介して接続されている。
【００８１】
制御部３００は、ＳＧＷ３０を制御するための機能部である。制御部３００は、記憶部３５０に記憶されている各種プログラムを読み出して実行することにより各機能を実現する。
【００８２】
第１送受信部３１０及び第２送受信部３２０は、他の装置に接続され、データの送受信を行う機能部である。例えば、ネットワークの接続方式として一般的に利用されているＥｔｈｅｒｎｅｔ（登録商標）などにより送受信する。ここで、第１送受信部３１０はＨｅＮＢ８０など下流に接続される装置とデータ送受信し、第２送受信部３２０は、ＰＧＷ２０やＭＭＥ１０など上流に接続された装置とデータ送受信する機能を実現する。
【００８３】
記憶部３５０は、ＳＧＷ３０の各種動作に必要なプログラム、データ等を記憶する機能部である。さらに、記憶部３５０にはＳＩＰＴＯ許可情報管理テーブル３５２が記憶されている。
【００８４】
図７（ａ）及び（ｂ）は、ＳＩＰＴＯ許可情報管理テーブル３５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【００８５】
すなわち、ＳＩＰＴＯ許可情報管理テーブル３５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【００８６】
［１．２．４  ＬＧＷの構成］
続いて、本実施形態におけるＬＧＷ５０の構成を図８に示す。ＬＧＷ５０は、制御部５００に、コアネットワークインタフェース部５１０と、ブロードバンドネットワークインタフェース部５２０と、ホームネットワークインタフェース部５３０と、ローカルＩＰアドレス生成部５４０と、記憶部５５０とがバスを介して接続されている。
【００８７】
制御部５００は、ＬＧＷ５０を制御するための機能部である。制御部５００は、記憶部５５０に記憶されている各種プログラムを読みだして実行することにより各種機能を実現する。
【００８８】
コアネットワークインタフェース部５１０は、コアネットワーク３と接続されるネットワークインタフェース部であり、コアネットワークインタフェース部５１０からパケットを受信し、ホームネットワークインタフェース部５３０へ転送する。
【００８９】
また、ホームネットワークインタフェース部５３０から受信したパケットをコアネットワークインタフェース部５１０へ転送する。ここで、ＬＧＷ５０は、転送先としてＳＧＷアドレス５５２を設定する。
【００９０】
ブロードバンドネットワークインタフェース部５２０は、ブロードバンドネットワーク７と接続されるネットワークインタフェース部であり、ブロードバンドネットワークインタフェース部５２０からパケットを受信し、ホームネットワークインタフェース部５３０へ転送する。
【００９１】
また、ホームネットワークインタフェース部５３０から受信したパケットをブロードバンドネットワークインタフェース部５２０へ転送する。ここでＬＧＷ５０は、転送先として外部アドレス５５４を設定する。
【００９２】
ホームネットワークインタフェース部５３０は、ホームネットワーク５と接続されるネットワークインタフェース部であり、上述したように、受信されたパケットをコアネットワークインタフェース部５１０、ブロードバンドネットワークインタフェース部５２０に転送したり、逆にコアネットワークインタフェース部５１０、ブロードバンドネットワークインタフェース部５２０により受信されたパケットが転送されたりする。
【００９３】
ローカルＩＰアドレス生成部５４０は、ホームネットワーク５に接続したＵＥ７０に割り当てるローカルＩＰアドレスを生成する機能部である。
【００９４】
記憶部５５０は、ＬＧＷ５０の動作に必要な各種プログラムや、各種データが記憶されている機能部である。記憶部５５０は、例えば、半導体メモリや、ＨＤＤ（Hard Disk Drive）等により構成されている。
【００９５】
ここで、記憶部５５０には、ＳＧＷアドレス５５２と、外部アドレス５５４と、ローカルＩＰアドレス５５６と、が記憶されている。ＳＧＷアドレス５５２はコアネットワークに配置されたＳＧＷ３０のアドレスを示す。外部アドレス５５４はブロードバンドネットワークにアクセスするためのアドレスを示す。また、ローカルＩＰアドレスは、ホームネットワークに接続されたＵＥ７０のアドレスである。
【００９６】
［１．２．５  ＨｅＮＢの構成］
図９は、本実施形態におけるＨｅＮＢ６０の構成を示す。ＨｅＮＢ６０は、制御部６００に、ＬＴＥ基地局部６１０と、ホームネットワークインタフェース部６２０と、記憶部６５０と、がバスを介して接続されている。
【００９７】
制御部６００は、ＨｅＮＢ６０を制御するための機能部である。制御部６００は、記憶部６５０に記憶されている各種プログラムを読みだして実行することにより各種機能を実現する。
【００９８】
ＬＴＥ基地局部６１０は、Ｅ−ＵＴＲＡの基地局として機能し、ＵＥ７０を収容するための機能部である。また、ＬＴＥ基地局部６１０には、外部アンテナ６１２が接続されている。
【００９９】
ホームネットワークインタフェース部６２０は、ホームネットワークインタフェース部６２０からパケットを受信し、送信先ＩＰアドレスを書き換えてＬＴＥ基地局部６１０に転送する。
【０１００】
また、ＬＴＥ基地局部６１０から受信したパケットをホームネットワークインタフェース部６２０へ転送する。
【０１０１】
記憶部６５０は、ＨｅＮＢ６０の動作に必要な各種プログラムや、各種データが記憶されている機能部である。記憶部６５０は、例えば、半導体メモリや、ＨＤＤ（Hard Disk Drive）等により構成されている。また、記憶部６５０には、ＳＩＰＴＯ許可情報管理テーブル６５２が記憶されている。
【０１０２】
図１０（ａ）及び（ｂ）は、ＳＩＰＴＯ許可情報管理テーブル６５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【０１０３】
すなわち、ＳＩＰＴＯ許可情報管理テーブル６５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【０１０４】
ＨｅＮＢ６０は、ＵＥ７０からフローを受信した際に、当該フローがどのＥＰＳベアラを用いて送信されたかを見て、当該ＥＰＳベアラにおける、ＵＥの許可と、移動通信事業者の許可と、ブロードバンドネットワーク事業者の許可のそれぞれ設定が「許可」である場合には、当該フローをホームネットワークインタフェース部６２０からホームネットワーク内に直接送信し、ＵＥの許可情報と、移動通信事業者の許可情報と、ブロードバンドネットワーク事業者の許可情報のいずれかの設定が「不許可」である場合には、ＳＧＷ３０に転送する。
【０１０５】
または、ＨｅＮＢ６０は、ＵＥ７０からフローを受信した際に、当該フローがどのＰＤＮコネクションを用いて送信されたかを見て、当該ＰＤＮコネクションにおける、ＵＥの許可と、移動通信事業者の許可と、ブロードバンドネットワーク事業者の許可のそれぞれ設定が「許可」である場合には、当該フローをホームネットワークインタフェース部６２０からホームネットワーク内に直接送信し、ＵＥの許可情報と、移動通信事業者の許可情報と、ブロードバンドネットワーク事業者の許可情報のいずれかの設定が「不許可」である場合には、ＳＧＷ３０に転送する。
【０１０６】
［１．２．６  ＵＥの構成］
次に、本実施形態における移動局装置であるＵＥ７０の構成について説明する。図１１に示すように、制御部７００に、ＬＴＥインタフェース部７１０と、記憶部７５０とがバスを介して接続されている。
【０１０７】
制御部７００は、ＵＥ７０を制御するための機能部である。制御部７００は、記憶部７５０に記憶されている各種プログラムを読み出して実行することにより各種機能を実現する。
【０１０８】
ＬＴＥインタフェース部７１０は、ＵＥ７０がＨｅＮＢ６０に接続し、具体的なデータ（パケット）を送受信するための機能部である。また、ＬＴＥインタフェース部７１０には、外部アンテナ７１２が接続されている。
【０１０９】
記憶部７５０は、ＵＥ７０の各種動作に必要なプログラム、データ等を記憶する機能部である。さらに、記憶部７５０には、ＳＩＰＴＯ許可情報管理テーブル７５２が記憶されている。
【０１１０】
図１２は、ＳＩＰＴＯ許可情報管理テーブル７５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【０１１１】
すなわち、ＳＩＰＴＯ許可情報管理テーブル７５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【０１１２】
これにより、ＵＥ７０がデータを送信する場合には、接続しているＡＰＮがＳＩＰＴＯ＠ＬＮにより通信を行うか否かを把握したうえで通信を行うことができる。または、通信に用いるＰＤＮコネクションがＳＩＰＴＯ＠ＬＮにより通信を行うか否かを把握したうえで通信を行うことができる。または、通信に用いるＰＤＮコネクションがＳＩＰＴＯ＠ＬＮにより通信を行うか否かを把握したうえで通信を行うことができる。
【０１１３】
言い換えると、複数のＡＰＮの接続がある場合、ＳＩＰＴＯ＠ＬＮにより通信を行うためにＡＰＮを選択して通信を行うことができる。または、複数のＰＤＮコネクションが確立されている場合、ＳＩＰＴＯ＠ＬＮにより通信を行うためにＰＤＮコネクションを選択して通信を行うことができる。または、複数のベアラが確立されている場合、ＳＩＰＴＯ＠ＬＮにより通信を行うためにベアラを選択して通信を行うことができる。
【０１１４】
ここで、ＵＥ７０は必ずしも「移動通信ネットワーク事業者の許可情報」及び「ブロードバンドネットワーク事業者の許可情報」を管理する必要はない。その場合には、ＵＥの許可情報をＭＭＥやＨＳＳなどのコアネットワーク内装置に通知し、ＵＥの許可情報に基づいて、ＳＩＰＴＯ＠ＬＮが許可されたかどうかを管理する。
【０１１５】
つまり、ＡＰＮに対して、ベアラＩＤと、ＵＥの許可情報と、ＵＥの許可情報に基づいてＳＩＰＴＯ＠ＬＮが許可／不許可されたかどうかを管理する。この場合には、ＵＥ７０は「移動通信ネットワーク事業者の許可情報」及び「ブロードバンドネットワーク事業者の許可情報」を保持しないため、それらに基づくことなくＵＥの許可情報をＭＭＥやＨＳＳ２０などのコアネットワーク３内の装置に通知する。
【０１１６】
もしくは、「移動通信ネットワーク事業者の許可情報」及び「ブロードバンドネットワーク事業者の許可情報」を管理する場合には、ＵＥの許可情報をＭＭＥ１０やＨＳＳ２０等のコアネットワーク３内の装置に許可を通知する場合には、「移動通信ネットワーク事業者の許可情報」及び「ブロードバンドネットワーク事業者の許可情報」の双方が許可されている場合にのみ送信する。
【０１１７】
ＵＥの許可情報をＭＭＥやＨＳＳなどのコアネットワーク内装置に不許可を通知する場合には、「移動通信ネットワーク事業者の許可情報」及び「ブロードバンドネットワーク事業者の許可情報」の双方が許可されている場合にのみ送信する。
【０１１８】
ＳＩＰＴＯ＠ＬＮによる通信を行うためには「ＵＥの許可情報」、「移動通信ネットワーク事業者の許可情報」及び「ブロードバンドネットワーク事業者の許可情報」が総て許可されている必要があるため、「移動通信ネットワーク事業者の許可情報」及び「ブロードバンドネットワーク事業者の許可情報」が許可であることを確認してから通知することにより、通知によってＳＩＰＴＯ＠ＬＮされないような無駄な通知を省くことができる。
【０１１９】
［１．３  処理の説明］
次に、図１に示すネットワークにおいて、ＵＥ７０が、ＨｅＮＢ６０からコアネットワーク３経由でのデータを送受信している状態において、ＵＥ７０が、ブロードバンドネットワーク経由（ＳＩＰＴＯ＠ＬＮ）でのデータの送受信の許可情報を不許可から許可に変更した場合に、ブロードバンドネットワーク経由（ＳＩＰＴＯ＠ＬＮ）でのデータを送受信するための手続きについて説明する。
【０１２０】
第１実施形態では、ＵＥ７０がＨｅＮＢ６０からコアネットワーク３経由でデータを送受信中に、ＨｅＮＢ６０からブロードバンドネットワーク７経由でのデータ通信（ＳＩＰＴＯ＠ＬＮ）を許可した場合に、ＨｅＮＢ６０からコアネットワーク３経由でのデータ通信から、ＨｅＮＢ６０からブロードバンドネットワーク７経由でのデータ通信へ切り替える。
【０１２１】
［１．３．１  ＵＥによるＳＩＰＴＯ＠ＬＮの「許可」の通知］
図１３では、ＵＥ７０がＳＩＰＴＯ＠ＬＮを「不許可」から「許可」に変更した場合に、ＵＥ７０はトラッキングエリアアップデート要求を行うことにより、ユーザが移動通信ネットワーク事業者にＨｅＮＢ６０からブロードバンドネットワーク７経由でのデータ通信（ＳＩＰＴＯ＠ＬＮ）を希望していることが通知される（ＨＳＳ２０にＵＥ７０の許可情報が「許可」に更新される）。従来は、ＵＥ７０は通信を行っていないアイドル状態においてのみトラッキングエリアアップデート要求手続きを開始するが、本実施形態では、ＳＩＰＴＯ＠ＬＮの通信許可／不許可を通知するために、通信中のアクティブ状態においてトラッキングエリアアップデート手続きを開始する。
【０１２２】
ここで、トラッキングエリアアップデート要求を行うとは、トラッキングエリアアップデート要求メッセージを送信することによって行われる処理である。例えば、Ｓ１３０４において、トラッキングエリアアップデート要求メッセージが、ＵＥ７０からＨｅＮＢ６０に送信されることとなる。
【０１２３】
なお、ブロードバンドネットワーク事業者の許可情報及び、移動通信ネットワーク事業者の許可情報は、それぞれ「許可」とされていることを確認し、ＵＥ７０の許可情報を通知してもよい。ブロードバンドネットワーク事業者の許可情報及び、移動通信ネットワーク事業者の許可情報は予めＭＭＥ１０又はＨＳＳ２０がＵＥ７０に通知し、ＵＥ７０は受信したそれらの情報を保持しておく。
【０１２４】
もしくは、ＵＥ７０はブロードバンドネットワーク事業者の許可情報及び移動通信ネットワーク事業者の許可情報を保持していなくても良い。その場合には、ＵＥ７０はブロードバンドネットワーク事業者の許可情報及び移動通信ネットワーク事業者の許可情報を確認することなくＵＥ７０の許可情報を通知する。
【０１２５】
図１３を用いて、順を追って説明する。まず、ＵＥ７０は、ＨｅＮＢ６０からブロードバンドネットワーク経由でのデータ通信（ＳＩＰＴＯ＠ＬＮ）に対する許可情報を「不許可」から「許可」へ変更する（Ｓ１３０２）。
【０１２６】
ＵＥ７０は、トラッキングエリアアップデート要求メッセージをＨｅＮＢ６０へ送信し、ＵＥ７０の許可情報を通知する（Ｓ１３０４）。送信の契機はユーザによる手動操作によってＵＥ７０の許可情報を更新するなどを検知する。このとき、ＵＥ７０は図１４（ａ）に示すように、トラッキングエリアアップデート要求メッセージに、ＵＥ  ＩＤ、ＡＰＮ、ＵＥの許可情報を含めて送信する。
【０１２７】
なお、図１４（ｂ）に示すように、トラッキングエリアアップデート要求メッセージに、ＵＥ  ＩＤ、ＰＤＮコネクション、ＵＥの許可情報を含めても良い。または、図１４（ｃ）に示すようにＵＥ  ＩＤ、ベアラＩＤ、ＵＥの許可情報を含めても良い。
【０１２８】
これにより、ＵＥ７０は、コアネットワーク３経由の通信をブロードバンドネットワーク７経由のオフロードされた通信（ＳＩＰＴＯ＠ＬＮ）の通信を切り替えるよう要求する。この要求は、ＡＰＮを併せて通知することでＡＰＮ単位で要求することもできるし、ＰＤＮコネクション識別子を併せて通知することでＰＤＮコネクション単位で要求することもできるし、ベアラＩＤを併せて通知することでベアラ単位で要求することもできる。
【０１２９】
ＵＥ７０からトラッキングエリアアップデート要求メッセージを受信したＨｅＮＢ６０は、ＭＭＥ１０へトラッキングエリアアップデート要求を送信する（Ｓ１３０６）。このとき、接続されているネットワークの情報やＨｅＮＢ６０を識別する情報、ホームネットワークを識別する情報を含めても良い。このとき、ＵＥ７０は図１５（ａ）に示すように、トラッキングエリアアップデート要求メッセージに、ＵＥ  ＩＤ、ＡＰＮ、ベアラＩＤ、ＵＥの許可情報を含めて送信する。
【０１３０】
このとき、ＵＥ  ＩＤには「ＵＥ１」と、ＡＰＮには「インターネット」と、ベアラＩＤには「ベアラ１」と、ＵＥの許可情報には「許可」とが含まれている。なお、図１５（ｂ）に示すように、トラッキングエリアアップデート要求メッセージに、ＵＥ  ＩＤ、ＰＤＮコネクション、ベアラＩＤ、ＵＥの許可情報を含めても良い。このとき、ＵＥ  ＩＤには「ＵＥ１」と、ＰＤＮコネクションには「ＰＤＮコネクション１」と、ベアラＩＤには「ベアラ１」と、ＵＥの許可情報には「許可」とが含まれている。
【０１３１】
また、図１５（ｃ）に示すように、トラッキングエリアアップデート要求メッセージに、ＵＥ  ＩＤ、ベアラＩＤ、ＵＥの許可情報を含めても良い。このとき、ＵＥ  ＩＤには「ＵＥ１」と、ベアラＩＤには「ベアラ１」と、ＵＥの許可情報には「許可」とが含まれている。
【０１３２】
ＵＥ  ＩＤ、ＡＰＮ、ＵＥの許可情報を受信したＭＭＥ１０は、ＵＥ  ＩＤと、ＡＰＮと、ＵＥの許可情報とを関連付けてＳＩＰＴＯ許可情報管理テーブル１５２に登録する。なお、ＵＥ  ＩＤ、ベアラＩＤ、ＰＤＮコネクション、ＵＥの許可情報を受信した場合には、ＵＥ  ＩＤと、ベアラＩＤと、ＰＤＮコネクションと、ＵＥの許可情報とを関連付けて登録する。また、ＵＥ  ＩＤ、ベアラＩＤ、ＵＥの許可情報を受信した場合には、ＵＥ  ＩＤと、ベアラＩＤと、ＵＥの許可情報を関連付けて登録する。
【０１３３】
次に、ＭＭＥ１０は、Ｓ１３０６で受信したＵＥ７０の図１６（ａ）に示すように、ＵＥ  ＩＤ、ＡＰＮ、ベアラＩＤ、ＵＥの許可情報をＨＳＳ２０へ送信する（Ｓ１３０８）。このとき、ＵＥ  ＩＤには「ＵＥ１」と、ＡＰＮには「インターネット」と、ベアラＩＤには「ベアラ１」と、ＵＥの許可情報には「許可」とが含まれている。
【０１３４】
なお、図１６（ｂ）に示すように、ＵＥ  ＩＤ、ベアラＩＤ、ＰＤＮコネクション、ＵＥの許可情報を含めても良い。このとき、ＵＥ  ＩＤには「ＵＥ１」と、ＰＤＮコネクションには「ＰＤＮコネクション１」と、ベアラＩＤには「ベアラ１」と、ＵＥの許可情報には「許可」とが含まれている。
【０１３５】
また、図１６（ｃ）に示すように、ＵＥ  ＩＤと、ベアラＩＤと、ＵＥの許可情報とを含めても良い。このとき、ＵＥ  ＩＤには「ＵＥ１」と、ベアラＩＤには「ベアラ１」と、ＵＥの許可情報には「許可」とが含まれている。
【０１３６】
ＭＭＥ１０からＵＥ  ＩＤ、ＡＰＮ、ＵＥの許可情報を受信したＨＳＳ２０は、ＵＥ  ＩＤと、ＡＰＮと、ＵＥの許可情報を関連付けてＳＩＰＴＯ許可情報管理テーブル２５２に登録する。なお、ＵＥ  ＩＤ、ベアラＩＤ、ＰＤＮコネクション、ＵＥの許可情報を受信した場合には、ＵＥ  ＩＤと、ベアラＩＤと、ＰＤＮコネクションと、ＵＥの許可情報を関連付けて登録する。また、ＵＥ  ＩＤ、ベアラＩＤ、ＵＥの許可情報を受信した場合には、ＵＥ  ＩＤと、ベアラＩＤと、ＵＥの許可情報を関連付けて登録する。
【０１３７】
［１．３．２  ベアラ変更手続き］
続いて、ＭＭＥ１０は、ベアラ変更手続きを開始する（Ｓ１３１０）。ＭＭＥ１０は、ＳＩＰＴＯ許可情報管理テーブル１５２のＳＩＰＴＯ許可情報のそれぞれが総て「許可」となったことを検知して、対応付けられているベアラを抽出し、抽出されたベアラに対してベアラ変更手続きの開始を決定する。
【０１３８】
本実施形態では、ＵＥの許可情報が「不許可」から「許可」と変更されたことを検知し、総ての許可情報が「許可」となったことでベアラ変更手続きを行う。
【０１３９】
ＡＰＮ又はＰＤＮコネクションに対応付けられたベアラが複数確立されている場合には、それぞれに対してベアラ変更手続きを行う。
【０１４０】
具体的な手続きは、図１５を用いて説明する。なお、初期の状態では、ＰＧＷ４０とＵＥ７０との間にＰＤＮコネクション及びベアラが確立され、コアネットワーク３経由で通信を行っている。
【０１４１】
ＭＭＥ１０は、ＳＩＰＴＯ許可情報管理テーブル１５２で総ての許ＳＩＰＴＯ許可情報が許可とされていることを確認し、ベアラ変更命令をＳＧＷ３０へ送信する（Ｓ１５０２）。これにより、ＭＭＥ１０はコアネットワーク３経由の通信をブロードバンドネットワーク７経由のオフロードされた通信（ＳＩＰＴＯ＠ＬＮ）に変更して通信を行うことを要求する。この要求では、端点をＰＧＷ４０として行っていた通信を、ＬＧＷ５０に切り替えるゲートウェイ再選択の要求も含まれる。
【０１４２】
さらに、コアネットワーク３経由の通信のためのＰＧＷ４０とＵＥ７０間のＰＤＮコネクション及びベアラを削除し、ブロードバンドネットワーク７経由のオフロードされた通信のためのＬＧＷ５０とＵＥ７０間のＰＤＮコネクション及びベアラを確立する要求も含まれている。
【０１４３】
ベアラ変更命令は、図１６に示すように、ＡＰＮに対してＵＥの許可を通知することもできるし、ＰＤＮコネクションに対してＵＥの許可を通知してもよい。これにより、ＭＭＥ１０はコアネットワーク３経由の通信をブロードバンドネットワーク７経由のオフロードされた通信（ＳＩＰＴＯ＠ＬＮ）に変更して通信を行うことをＡＰＮ単位で要求することもできるし、ＰＤＮコネクション単位で要求することもできる。
【０１４４】
ベアラ変更命令を受信したＳＧＷ３０は、ベアラ変更命令をＰＧＷ４０へ送信する（Ｓ１５０４）。ここで、ＳＧＷ３０は、ＭＭＥ１０から受信した情報をＰＧＷ４０へ送信する。このように、ＳＧＷ３０は、ＭＭＥ１０からＰＧＷ４０へのベアラ変更命令を単に転送する。
【０１４５】
ベアラ変更命令を受信したＰＧＷ４０は、ベアラ変更要求をＳＧＷ３０に送信し、コアネットワーク３経由の通信のためのＰＧＷ４０とＵＥ７０間のＰＤＮコネクション及びベアラを削除要求する（Ｓ１５０６）。
【０１４６】
これにより、ＰＧＷ４０は、受信したベアラ変更命令に応じたＡＰＮ、ＰＤＮコネクション又はベアラに対して、コアネットワーク３経由の通信をブロードバンドネットワーク７経由のオフロードされた通信（ＳＩＰＴＯ＠ＬＮ）に変更して通信を行うことを要求する。この要求では、端点をＰＧＷ４０として行っていた通信を、ＬＧＷ５０に切り替えるゲートウェイ再選択の要求も含まれる。
【０１４７】
ベアラ変更要求を受信したＳＧＷ３０は、受信した情報を含めて、ベアラ変更要求をＭＭＥ１０に送信する（Ｓ１５０８）。このように、ＳＧＷ３０は、ＰＧＷ４０からＭＭＥ１０へのベアラ変更要求を単に転送する。
【０１４８】
ベアラ変更要求を受信したことで、ＭＭＥ１０は、コアネットワーク３由の通信をブロードバンドネットワーク７経由のオフロードされた通信（ＳＩＰＴＯ＠ＬＮ）に変更することを確認し、ベアラ変更命令をＬＧＷ５０に送信する（Ｓ１５１０）。この要求により、端点をＰＧＷ４０として行っていた通信を、ＬＧＷ５０に切り替えるゲートウェイ変更の要求をＬＧＷ５０に行う。この要求では、端点をＰＧＷ４０として行っていた通信を、ＬＧＷ５０に切り替えるゲートウェイ再選択の要求も含まれる。
【０１４９】
さらに、コアネットワーク３経由の通信のためのＰＧＷ４０とＵＥ７０間のＰＤＮコネクション及びベアラを削除し、ブロードバンドネットワーク７経由のオフロードされた通信のためのＬＧＷ５０とＵＥ７０間のＰＤＮコネクション及びベアラを確立する要求も含まれている。
【０１５０】
ベアラ変更命令を受信したＬＧＷ５０は、ベアラ変更要求をＭＭＥ１０へ送信する（１５１２）。ブロードバンドネットワーク７経由のオフロードされた通信のためのＬＧＷ５０とＵＥ７０間のＰＤＮコネクション及びベアラの確立を要求する。ベアラ変更要求を受信したＭＭＥ１０は、受信したベアラ変更命令に応じたＡＰＮ、ＰＤＮコネクション又はベアラに対して、ＳＩＰＴＯ＠ＬＮに変更することを確認する。
【０１５１】
ＬＧＷ５０からベアラ変更要求を受信したＭＭＥ１０は、ベアラ変更要求をＨｅＮＢへ送信する（Ｓ１５１４）。ベアラ変更要求には、ＰＧＷ４０または、ＬＧＷ５０に送信したベアラ変更命令で通知したＡＰＮ、ＰＤＮコネクション又はベアラを通知する。
【０１５２】
ベアラ変更要求を受信したＨｅＮＢ６０は、ベアラ変更要求に含められたＡＰＮ又はＰＤＮコネクションにおけるＲＲＣ接続再設定の通知をＵＥ７０へ送信する（１５１６）。ここで、ＨｅＮＢ６０は、ＵＥ７０へＡＰＮ、ＰＤＮコネクション又はベアラの情報を通知する。
【０１５３】
ＲＲＣ接続再設定を受信したＵＥ７０は、設定されていたＲＲＣ接続を、ＡＰＮ、ＰＤＮコネクション又はベアラに基づいて、再設定する。ＵＥ７０は、ＲＲＣ接続を再設定が完了したことを確認して、ＲＲＣ接続再設定完了の通知をＨｅＮＢ７０へ送信する（Ｓ１５１８）。ＲＲＣ接続再設定完了通知に、ＡＰＮ、ＰＤＮコネクション又はベアラを含める。
【０１５４】
ＲＲＣ接続再設定完了通知を受信したＨｅＮＢ６０は、ＡＰＮ、ＰＤＮコネクション又はベアラに対応するＵＥ７０のＲＲＣ接続再設定が完了したことを確認する。さらに、ＨｅＮＢ６０は、Ｓ１５１４でＭＭＥ１０から送信されたベアラ変更要求に含められたＡＰＮ又はＰＤＮコネクションにおいて、ＰＧＷ４０からＬＧＷ５０へのベアラの変更を確認し、ベアラ変更応答をＭＭＥ１０へ送信する（Ｓ１５２０）。ここで、ベアラ変更応答に、ベアラ変更された、ＡＰＮ、ＰＤＮコネクション又はベアラを含める。
【０１５５】
ＨｅＮＢ６０からベアラ変更応答を受信したＭＭＥ１０は、ＨｅＮＢ６０とＳＧＷ４０とのベアラからＨｅＮＢ６０とＬＧＷ５０とのベアラへ変更されたことを確認し、ベアラ変更応答をＬＧＷ３０へ送信する（Ｓ１５２２）。ここで、ベアラ変更応答にベアラが変更されたＡＰＮ、ＰＤＮコネクション又はベアラを含める。ベアラ変更を受信したＬＧＷ５０は、ＡＰＮ又はＰＤＮコネクションに対応するベアラが変更されたことを確認する。
【０１５６】
また、ＭＭＥ１０は、ベアラ変更応答をＳＧＷ３０へ送信する（Ｓ１５２４）。ここで、ベアラ変更応答に、ベアラ変更されたＡＰＮ又はＰＤＮコネクションを含める。ベアラ変更応答を受信したＳＧＷ３０は、ＡＰＮ又はＰＤＮコネクションに対応するベアラが変更されたことを確認する。
【０１５７】
ＨｅＮＢ６０とのベアラが変更されたことを確認したＳＧＷ３０は、ベアラ変更応答をＰＧＷ４０へ送信する（Ｓ１５２６）。ここで、ベアラ変更応答に、ベアラ変更されたＡＰＮ、ＰＤＮコネクション又はベアラを含める。ＳＧＷ３０からベアラ変更応答を受信したＰＧＷ４０は、ＡＰＮ又はＰＤＮコネクションに対応するＳＧＷ３０とのベアラが変更されたことを確認する。
【０１５８】
以上の手続きにより、ベアラ変更手続きを完了する。このベアラ変更手続きでは、ＵＥ７０が通知した許可情報に基づいて、ＭＭＥ１０がコアネットワーク３経由の通信をブロードバンドネットワーク７経由のオフロードによる通信に切り替える決定をし、ＰＧＷ４０及びＬＧＷ５０に通信路切り替えの指示を行う。
【０１５９】
通信路の切り替えにあたっては、ＭＭＥ１０は、コアネットワーク３経由の通信を行う場合に用いたＰＧＷ４０から、ブロードバンドネットワーク７経由の通信を行う場合に用いるＬＧＷ５０へゲートウェイを再選択して切り替えを行う。
【０１６０】
さらに、通信路切り替えにあたっては、ブロードバンドネットワーク７経由で通信（ＳＩＰＴＯ＠ＬＮ)を行う際に利用するＬＧＷ５０とＵＥ７０とを端点としたＰＤＮコネクションを確立し、コアネットワーク３経由で通信を行っていた際に用いられていたＰＧＷ４０とＵＥ７０を端点としてＰＤＮコネクションから切り替えて通信を行う。ここで、それぞれのＰＤＮコネクションの識別子は、同じものを用いても良いし、異なる識別子をＭＭＥ１０が割り当ててＰＧＷ４０、ＨｅＮＢ５０、ＵＥ７０に通知しても良い。
【０１６１】
同じものを用いた場合には、ＵＥはＰＤＮコネクションの識別子が変わらないことから、ＰＤＮコネクションが変更されたことを知る必要がなくなる。その場合には、ＭＭＥ１０がＨｅＮＢへ送信するベアラ変更要求（Ｓ１５１４）や、ＨｅＮＢ６０とＵＥ７０間のＲＲＣ接続再設定処理（Ｓ１５１６、Ｓ１５１８）を行わなくても良い。このように、処理を簡易化することもできる。
【０１６２】
さらに、通信路切り替えにあたっては、ブロードバンドネットワーク７経由で通信（ＳＩＰＴＯ＠ＬＮ)を行う際に利用するベアラを確立し、コアネットワーク３経由で通信を行っていた際に用いられていたベアラから切り替えて通信を行う。ここで、それぞれのベアラＩＤは、同じものを用いても良いし、異なる識別子をＭＭＥ１０が割り当ててＬＧＷ５０、ＨｅＮＢ６０及びＵＥ７０に通知しても良い。
【０１６３】
同じものを用いた場合には、ＵＥはベアラの識別子が変わらないことから、ベアラが変更されたことを知る必要がなくなる。その場合には、ＭＭＥ１０がＨｅＮＢへ送信するベアラ変更要求（Ｓ１５１４）や、ＨｅＮＢ６０とＵＥ７０間のＲＲＣ接続再設定処理（Ｓ１５１６、Ｓ１５１８）を行わなくても良い。このように、処理を簡易化することもできる。
【０１６４】
続いて、図１３のベアラ変更手続き（Ｓ１３１０）へ戻り説明する。Ｓ１３１０におけるＳ１５２０においてベアラ変更応答を受信したＭＭＥ１０は、トラッキングエリアアップデート受理通知をＵＥ７０へ送信する（Ｓ１３３４）。トラッキングエリアアップデート受理通知を受け取ったＵＥ７０は、ＳＩＰＴＯ＠ＬＮの許可情報として「許可」を通知できたことを確認し、トラッキングエリアアップデート完了通知をＭＭＥ１０へ送信する（Ｓ１３３６）。
【０１６５】
以上、［１．３．１  ＵＥによるＳＩＰＴＯ＠ＬＮの「許可」の通知手続き］、［１．３．２ベアラ変更手続き］により、ＨＳＳ２０にＳＩＰＴＯ＠ＬＮのＵＥ７０の許可情報が登録され、ＨＳＳ２０に、ＵＥ  ＩＤ、ＡＰＮ（またはＰＤＮコネクション）、ベアラＩＤで関連付けられたＵＥ７０におけるＳＩＰＴＯ＠ＬＮの許可情報、移動通信ネットワーク事業者におけるＳＩＰＴＯ＠ＬＮの許可情報及びブロードバンドネットワーク事業者におけるＳＩＰＴＯ＠ＬＮの許可情報それぞれにおいて「許可」が登録された状態となり、コアネットワーク３経由でのデータ通信からブロードバンドネットワーク経由のオフロードしたデータ通信へ切り替えることが可能となる。
【０１６６】
これらの手続きは、ＵＥ７０の許可情報に基づいて行われ、ＵＥの許可情報がＡＰＮとともに通知された場合には、そのＡＰＮを用いた総ての通信が切り替わることになる。具体的には、そのＡＰＮを用いて確立した総てのＰＤＮコネクションもしくは総てのベアラが切り替わる。
【０１６７】
また、ＵＥの許可情報がＰＤＮコネクションの識別子と共に通知された場合には、ＰＤＮコネクション単位で切り替わる。
【０１６８】
さらに、ＵＥの許可情報がベアラの識別子と共に通知された場合には、ベアラ単位での切り替えが行われる。
【０１６９】
［２．第２実施形態］
続いて第２実施形態について説明する。本実施形態における移動通信システムは、第１実施形態で説明した構成と同様の構成が利用できる。また、コアネットワーク３、ブロードバンドネットワーク７、ホームネットワーク５のそれぞれの構成要素（装置）も同様に利用可能であるため、説明を省略する。
【０１７０】
第２実施形態では、ＵＥ７０が、ＨｅＮＢ６０からコアネットワーク３経由でのデータを送受信している状態において、ＵＥ７０が、ブロードバンドネットワーク７経由（ＳＩＰＴＯ＠ＬＮ）でのデータの送受信の許可情報を不許可から許可に変更した場合に、ブロードバンドネットワーク７経由（ＳＩＰＴＯ＠ＬＮ）でのデータを送受信するための手続きについて説明する。
【０１７１】
第２実施形態では、ＵＥ７０がデータ送信を開始する場合、ＵＥ７０がＨｅＮＢ６０へ送信するサービス要求を行う（サービス要求メッセージを送信する）ことで、ＵＥのＳＩＰＴＯ＠ＬＮの許可情報を送信する。従来は、ＵＥ７０は新規ＰＤＮコネクションを確立するためにサービス要求手続きを開始するが、本実施形態では、ＳＩＰＴＯ＠ＬＮの通信許可／不許可を通知するために、既に隔離されていて通信中のＰＤＮコネクションを変更するためにサービス要求手続きを開始する。
【０１７２】
ＵＥ７０は、通信を開始するためのサービス要求を行う際に、ＳＩＰＴＯ＠ＬＮにおけるＵＥの許可情報を送信することによって、ＳＩＰＴＯ＠ＬＮのＵＥの許可情報をＭＭＥ１０へ通知し、ＨＳＳ２０へ登録することが可能となり、コアネットワーク３経由でデータの送受信からブロードバンドネットワーク経由（ＳＩＰＴＯ＠ＬＮ）でのデータの送受信へ切り替えることが可能となる。
【０１７３】
［２．１  処理の説明］
上述した処理について、図１８を用いて説明する。まず、ＵＥ７０は、ＳＩＰＴＯ＠ＬＮの許可情報を「不許可」から「許可」へ変更することを決定する（Ｓ２００２）。
【０１７４】
なお、ブロードバンドネットワーク事業者の許可情報及び、移動通信ネットワーク事業者の許可情報は、それぞれ「許可」とされていることを確認し、ＵＥ７０の許可情報を通知してもよい。ブロードバンドネットワーク事業者の許可情報及び、移動通信ネットワーク事業者の許可情報は予めＭＭＥ１０もしくはＨＳＳ２０がＵＥ７０に通知し、ＵＥ７０は受信したそれらの情報を保持しておく。
【０１７５】
もしくは、ＵＥ７０はブロードバンドネットワーク事業者の許可情報及び、移動通信ネットワーク事業者の許可情報を保持していなくても良い。その場合には、ＵＥ７０はブロードバンドネットワーク事業者の許可情報及び、移動通信ネットワーク事業者の許可情報を確認することなくＵＥ７０の許可情報を通知する。
【０１７６】
ＵＥ７０は、ＨｅＮＢ６０へサービス要求を行う（Ｓ２００４）。送信の契機はユーザによる手動操作によってＵＥ７０の許可情報を更新するなどを検知する。ここで、サービス要求を送信するとは、サービス要求メッセージが送信されることをいい、例えば、ＵＥ７０からＨｅＮＢ６０にサービス要求メッセージが送信されることとなる。
【０１７７】
このとき、ＵＥ７０は、図１９（ａ）に示すように、サービス要求メッセージには、ＵＥ  ＩＤと、ＡＰＮと、ベアラＩＤと、ＵＥの許可情報とが含まれる。このとき、ＵＥ  ＩＤには「ＵＥ１」と、ＡＰＮには「インターネット」と、ベアラＩＤには「ベアラ１」と、ＵＥの許可情報には「許可」とが含まれている。
【０１７８】
ここで、図１９（ｂ）に示すように、サービス要求メッセージには、ＵＥ  ＩＤと、ＰＤＮコネクションと、ベアラＩＤと、ＵＥの許可情報とが含まれても良い。このとき、ＵＥ  ＩＤには「ＵＥ１」と、ＰＤＮコネクションには「ＰＤＮコネクション１」と、ベアラＩＤには「ベアラ１」と、ＵＥの許可情報には「許可」とが含まれている。または、図１９（ｃ）に示すようにＵＥ  ＩＤ、ベアラＩＤ、ＵＥの許可情報を含めても良い。
【０１７９】
これにより、ＵＥ７０は、コアネットワーク３経由の通信をブロードバンドネットワーク７経由のオフロードされた通信（ＳＩＰＴＯ＠ＬＮ）の通信を切り替えるよう要求する。この要求は、ＡＰＮを併せて通知することでＡＰＮ単位で要求することもできるし、ＰＤＮコネクション識別子を併せて通知することでＰＤＮコネクション単位で要求することもできるし、ベアラＩＤを併せて通知することでベアラ単位で要求することもできる。
【０１８０】
ＵＥ７０からサービス要求メッセージを受信したＨｅＮＢ６０は、サービス要求メッセージをＭＭＥ１０へ送信する（Ｓ２００６）。このとき、ＨｅＮＢ６０は、図２０（ａ）に示すように、サービス要求メッセージには、ＵＥ  ＩＤと、ＡＰＮと、ベアラＩＤと、ＵＥの許可情報とが含まれている。このとき、ＵＥ  ＩＤには「ＵＥ１」と、ＡＰＮには「インターネット」と、ベアラＩＤには「ベアラ１」と、ＵＥの許可情報には「許可」とが含まれている。
【０１８１】
ここで、図２０（ｂ）に示すように、サービス要求メッセージには、ＵＥ  ＩＤと、ＰＤＮコネクションと、ベアラＩＤと、ＵＥの許可情報とが含まれても良い。このとき、ＵＥ  ＩＤには「ＵＥ１」と、ＰＤＮコネクションには「ＰＤＮコネクション１」と、ベアラＩＤには「ベアラ１」と、ＵＥの許可情報には「許可」とが含まれている。または、図２０（ｃ）に示すようにＵＥ  ＩＤと、ベアラＩＤと、ＵＥの許可情報とを含めても良い。
【０１８２】
ＵＥ  ＩＤ、ＡＰＮ、ＵＥの許可情報を受信したＭＭＥ１０は、ＵＥ  ＩＤと、ＡＰＮと、ＵＥの許可情報を関連付けてＳＩＰＴＯ許可情報管理テーブル１５２に登録する。なお、ＵＥ  ＩＤ、ベアラＩＤ、ＰＤＮコネクション、ＵＥの許可情報を受信した場合には、ＵＥ  ＩＤと、ベアラＩＤと、ＰＤＮコネクションと、ＵＥの許可情報を関連付けて登録する。また、ＵＥ  ＩＤ、ベアラＩＤ、ＵＥの許可情報を受信した場合には、ＵＥ  ＩＤと、ベアラＩＤと、ＵＥの許可情報とを関連付けて登録する。
【０１８３】
さらに、ＭＭＥ１０は、ＨＳＳ２０へＵＥの許可情報の通知を送信する（Ｓ２００８）。ここで、ＵＥの許可情報の通知を送信するとは、ＵＥの許可情報通知メッセージが送信されることにより実行される。
【０１８４】
ここで、ＭＭＥ１０は、図２１（ａ）に示すように、ＵＥの許可情報メッセージに、ＵＥ  ＩＤと、ＡＰＮと、ベアラＩＤと、ＵＥの許可情報とが含まれて送信される。
【０１８５】
このとき、ＵＥ  ＩＤには「ＵＥ１」と、ＡＰＮには「インターネット」と、ベアラＩＤには「ベアラ１」と、ＵＥの許可情報には「許可」とが含まれている。ここで、図２１（ｂ）に示すように、ＵＥの許可情報メッセージには、ＵＥ  ＩＤと、ＰＤＮコネクションと、ベアラＩＤと、ＵＥの許可情報とが含まれても良い。このとき、ＵＥ  ＩＤには「ＵＥ１」と、ＰＤＮコネクションには「ＰＤＮコネクション１」と、ベアラＩＤには「ベアラ１」と、ＵＥの許可情報には「許可」とが含まれている。または、図２１（ｃ）に示すように、ＵＥの許可情報通知メッセージには、ＵＥ  ＩＤと、ベアラＩＤと、ＵＥの許可情報とを含めても良い。
【０１８６】
ＭＭＥ１０からＵＥ  ＩＤ、ＡＰＮ、ＵＥの許可情報を受信したＨＳＳ２０は、ＵＥ  ＩＤと、ＡＰＮと、ＵＥの許可情報とを関連付けてＳＩＰＴＯ許可情報管理テーブル２５２に登録する。ここで、ＨＳＳ２０が、ＭＭＥ１０からＵＥ  ＩＤと、ＰＤＮコネクションと、ＵＥの許可情報とを受信している場合には、ＵＥ  ＩＤと、ＰＤＮコネクションと、ＵＥの許可情報をＳＩＰＴＯ許可情報管理テーブル２５２に登録する。
【０１８７】
なお、ＵＥ  ＩＤと、ベアラＩＤと、ＰＤＮコネクションと、ＵＥの許可情報とを受信した場合には、ＵＥ  ＩＤと、ベアラＩＤと、ＰＤＮコネクションと、ＵＥの許可情報とを関連付けて登録する。また、ＵＥ  ＩＤと、ベアラＩＤと、ＵＥの許可情報とを受信した場合には、ＵＥ  ＩＤと、ベアラＩＤと、ＵＥの許可情報を関連付けて登録する。
【０１８８】
続いて、ＵＥ７０は、ベアラ変更手続きを開始する（Ｓ２０１０）。ＭＭＥ１０は、ＳＩＰＴＯ許可情報管理テーブルのＳＩＰＴＯ許可情報のそれぞれが総て「許可」となったことを検知して、対応付けられているベアラを抽出し、抽出されたベアラに対してベアラ変更手続きの開始を決定する。
【０１８９】
本実施形態では、ＵＥの許可情報が「不許可」から「許可」と変更されたことを検知し、総ての許可情報が「許可」となったことでベアラ変更手続きを行う。
【０１９０】
ＡＰＮ又はＰＤＮコネクションに対応付けられたベアラが複数確立されている場合には、それぞれに対してベアラ変更手続きを行う。このベアラ変更手続きは第１実施形態の図１７で示す手続きで行われる。このように、ベアラ変更手続き自体は第１実施形態と同様であるため説明を省略する。
【０１９１】
ベアラ変更手続きが完了した後、従来のサービス開始手続きに従い、ＭＭＥ１０はＨｅＮＢ６０へコンテキスト設定要求を送信し（Ｓ２０１２）、ＨｅＮＢ６０とＵＥ７０とは無線ベアラ設定を行い（Ｓ２０１４）、ＨｅＮＢ６０はＭＭＥ１０にコンテキスト完了通知を送信する（Ｓ２０１６）。これによりＵＥ７０とＨｅＮＢ６０との間の無線ベアラを確立するが、Ｓ２０１０で説明したベアラ変更手続き内でベアラは確立されているため、これらの手続きは行われなくても良い。
【０１９２】
以上の手続きにより、データ通信を開始する際に、サービス要求を行うことにより、ＨＳＳ２０に、ＵＥ  ＩＤ、ＡＰＮ（又はＰＤＮコネクション）及びベアラＩＤで関連付けられたＵＥ７０におけるＳＩＰＴＯ＠ＬＮの許可情報と、ブロードバンドネットワーク事業者におけるＳＩＰＴＯ＠ＬＮの許可情報とにおいて「許可」が登録された状態となり、ＵＥ７０はＨｅＮＢ６０からコアネットワーク３経由でのデータ通信ではなく、ＨｅＮＢ６０からブロードバンドネットワーク７経由でのデータ通信（ＳＩＰＴＯ＠ＬＮでの通信）を行うことが可能となる。
【０１９３】
これらの手続きは、ＵＥ７０の許可情報に基づいて行われ、ＵＥの許可情報がＡＰＮとともに通知された場合には、そのＡＰＮを用いた総ての通信が切り替わることになる。具体的には、そのＡＰＮを用いて確立した総てのＰＤＮコネクションもしくは総てのベアラが切り替わる。
【０１９４】
また、ＵＥ７０の許可情報がＰＤＮコネクションの識別子と共に通知された場合には、ＰＤＮコネクション単位で切り替わる。
【０１９５】
さらに、ＵＥ７０の許可情報がベアラの識別子と共に通知された場合には、ベアラ単位での切り替えが行われる。
【０１９６】
［３．第３実施形態］
続いて第３実施形態について説明する。第３実施形態では、ＨｅＮＢ６０からブロードバンドネットワーク経由でデータを送受信している状態において、ＵＥ７０がＵＥ７０のＳＩＰＴＯ＠ＬＮ許可情報を「許可」から「不許可」に変更した場合において、ブロードバンドネットワーク７経由でデータを送受信している状態（ＳＩＰＴＯ＠ＬＮ）からコアネットワーク３経由でデータを送受信している状態へ変更するための手続きを示す。
【０１９７】
本実施形態における移動通信システムは、第１実施形態で説明した構成と同様の構成が利用できる。また、コアネットワーク３、ブロードバンドネットワーク７、ホームネットワーク５のそれぞれの構成要素（装置）も同様に利用可能であるため、説明を省略する。
【０１９８】
図２２では、ＵＥ７０がＳＩＰＴＯ＠ＬＮを「許可」から「不許可」に変更した場合に、ＵＥ７０はトラッキングエリアアップデート要求メッセージを送信することにより、ユーザが移動通信ネットワーク事業者にＨｅＮＢ６０からコアネットワーク３経由でデータ通信希望していることが通知される（ＨＳＳ２０にＵＥ７０の許可情報が「不許可」に更新される）。
【０１９９】
従来は、ＵＥ７０は通信を行っていないアイドル状態においてのみトラッキングエリアアップデート手続きを開始するが、本実施形態では、ＳＩＰＴＯ＠ＬＮの通信許可／不許可を通知するために、通信中のアクティブ状態においてトラッキングエリアアップデート手続きを開始する。このトラッキングエリアアップデート手続については、図１３に記載した通りである。
【０２００】
すなわち、ＵＥ７０は、トラッキングエリアアップデート要求メッセージをＨｅＮＢ６０へ送信し、ＵＥ７０の許可情報を通知する（Ｓ１３０４）。送信の契機はユーザによる手動操作によってＵＥ７０の許可情報を更新するなどを検知する。このとき、ＵＥ７０は図１４（ａ）に示すように、トラッキングエリアアップデート要求メッセージに、ＵＥ  ＩＤ、ＡＰＮ、ＵＥの許可情報を含めて送信する。なお、図１４（ｂ）に示すように、トラッキングエリアアップデート要求メッセージに、ＵＥ  ＩＤ、ＡＰＮ、ＵＥの許可情報を含めても良い。または、図１４（ｃ）に示すようにＵＥ  ＩＤ、ベアラＩＤ、ＵＥの許可情報を含めても良い。
【０２０１】
これにより、ＵＥ７０は、コアネットワーク３経由の通信をブロードバンドネットワーク７経由のオフロードされた通信（ＳＩＰＴＯ＠ＬＮ）の通信を切り替えるよう要求する。この要求は、ＡＰＮを併せて通知することでＡＰＮ単位で要求することもできるし、ＰＤＮコネクション識別子を併せて通知することでＰＤＮコネクション単位で要求することもできるし、ベアラＩＤを併せて通知することでベアラ単位で要求することもできる。
【０２０２】
その後のＨｅＮＢ６０のトラッキングエリアアップデート要求メッセージの送信（Ｓ１３０６）と、ＭＭＥ１０のＵＥの許可情報の通知（Ｓ１３０８）と、それらの送受信に関わるＨｅＮＢ６０、ＭＭＥ１０及びＨＳＳ２０の処理は第１実施形態と同様であるため詳細説明を省略する。第１実施形態と異なるのは、ＨｅＮＢ６０及びＭＭＥ１０はメッセージに含まれるＵＥの許可情報を「不許可」として送信する。
【０２０３】
（ベアラ変更手続き）
続いて、ＭＭＥ１０は、ベアラ変更手続きを開始する（図１３のＳ１３１０）。ＭＭＥ１０は、ＳＩＰＴＯ許可情報管理テーブルのＳＩＰＴＯ許可情報のいずれか「不許可」となったことを検知して、対応付けられているベアラを抽出し、抽出されたベアラに対してベアラ変更手続きの開始を決定する。
【０２０４】
本実施形態では、ＵＥの許可情報が「許可」から「不許可」と変更されたことを検知し、総ての許可情報が「許可」となっていないことでベアラ変更手続きを行う。
【０２０５】
ＡＰＮ又はＰＤＮコネクションに対応付けられたベアラが複数確立されている場合には、それぞれに対してベアラ変更手続きを行う。
【０２０６】
具体的な手続きは、図２２を用いて説明する。初期の状態では、ＬＧＷ５０とＵＥ７０との間にＰＤＮコネクション及びベアラが確立され、ブロードバンドネットワーク経由のオフロードされた通信を行っている。
【０２０７】
ＭＭＥ１０は、ＳＩＰＴＯ許可情報管理テーブルにおける許可情報のいずれかが不許可とされていることを確認し、ベアラ変更命令をＬＧＷ５０へ送信する（Ｓ３００２）。これにより、ＭＭＥ１０はＨｅＮＢ６０からブロードバンドネットワーク７経由（ＳＩＰＴＯ＠ＬＮ）の通信をコアネットワーク３経由での通信に変更して通信を行うことを要求する。この要求では、端点をＬＧＷ５０として行っていた通信を、ＰＧＷ４０に切り替えるゲートウェイ再選択の要求も含まれる。
【０２０８】
さらに、ブロードバンドネットワーク７経由のオフロードされた通信のためのＬＧＷ５０とＵＥ７０間のＰＤＮコネクション及びベアラを削除し、コアネットワーク３経由の通信のためのＰＧＷ４０とＵＥ７０間のＰＤＮコネクション及びベアラを確立する要求も含まれている。
【０２０９】
ベアラ変更命令は、図１６に示すように、ＡＰＮに対してＵＥの許可を通知することもできるし、ＰＤＮコネクションに対してＵＥの許可を通知してもよい。これにより、ＭＭＥ１０はＨｅＮＢ６０からブロードバンドネットワーク７経由（ＳＩＰＴＯ＠ＬＮ）の通信をコアネットワーク３経由での通信に変更して通信を行うことをＡＰＮ単位で要求することもできるし、ＰＤＮコネクション単位で要求することもできる。
【０２１０】
ベアラ変更命令を受信したＬＧＷ５０は、ベアラ変更要求をＭＭＥ１０に送信し、ブロードバンドネットワーク７経由のオフロードされた通信のためのＬＧＷ５０とＵＥ７０間のＰＤＮコネクション及びベアラを削除要求する（Ｓ３００４）。
【０２１１】
これにより、ＬＧＷ５０は、受信したベアラ変更命令に応じたＡＰＮ、ＰＤＮコネクション又はベアラに対して、ＨｅＮＢ６０からブロードバンドネットワーク７経由（ＳＩＰＴＯ＠ＬＮ）の通信をコアネットワーク３経由での通信に変更して通信を行うことを要求する。この要求では、端点をＬＧＷ５０として行っていた通信を、ＰＧＷ４０に切り替えるゲートウェイ再選択の要求も含まれる。
【０２１２】
ＭＭＥ１０は、ベアラ変更要求を受信したことで、ＨｅＮＢ６０からブロードバンドネットワーク７経由（ＳＩＰＴＯ＠ＬＮ）の通信をコアネットワーク３経由での通信に変更することを確認し、ベアラ変更命令をＳＧＷ３０に送信する（Ｓ３００６）。この要求により、端点をＬＧＷ５０として行っていた通信を、ＰＧＷ４０に切り替えるゲートウェイ変更の要求をＬＧＷ５０に行う。
【０２１３】
ベアラ変更命令を受信したＳＧＷ３０は、ベアラ変更命令をＰＧＷ４０へ送信する（Ｓ３００８）。ここで、ＳＧＷ３０は、ＭＭＥ１０から受信した情報をＰＧＷ４０へ送信する。このように、ＳＧＷ３０は、ＭＭＥ１０からＰＧＷ４０へのベアラ変更命令を単に転送する。
【０２１４】
ベアラ変更命令を受信したＰＧＷ４０は、ベアラ変更要求をＳＧＷ３０に送信する（Ｓ３０１０）。これにより、ＰＧＷ４０は、受信したベアラ変更命令に応じたＡＰＮ、ＰＤＮコネクション又はベアラに対して、ＳＩＰＴＯ＠ＬＮの通信をＳＩＰＴＯ＠ＣＮに変更して通信を行うことを要求する。この要求では、端点をＬＧＷ５０として行っていた通信を、ＰＧＷ４０に切り替えるゲートウェイ再選択の要求も含まれる。
【０２１５】
さらに、ブロードバンドネットワーク７経由のオフロードされた通信のためのＬＧＷ５０とＵＥ７０間のＰＤＮコネクション及びベアラを削除し、コアネットワーク３経由の通信のためのＰＧＷ４０とＵＥ７０間のＰＤＮコネクション及びベアラを確立する要求も含まれている。
【０２１６】
ベアラ変更要求を受信したＳＧＷ３０は、受信した情報を含めて、ベアラ変更要求をＭＭＥ１０に送信する（Ｓ３０１２）。このように、ＳＧＷ３０は、ＰＧＷ４０からＭＭＥ１０へのベアラ変更要求を単に転送する。
【０２１７】
ＭＭＥ１０は、ＳＧＷ３０からベアラ変更要求を受信し、ベアラ変更要求をＨｅＮＢへ送信する（Ｓ３０１４）。ベアラ変更要求には、ＰＧＷ４０または、ＬＧＷ５０に送信したベアラ変更命令で通知したＡＰＮ、ＰＤＮコネクション又はベアラを通知する。
【０２１８】
ベアラ変更要求を受信したＨｅＮＢ６０は、ベアラ変更要求に含められたＡＰＮ、ＰＤＮコネクション又はベアラにおけるＲＲＣ接続再設定の通知をＵＥ７０へ送信する（Ｓ３０１６）。ここで、ＨｅＮＢ６０は、ＵＥ７０へＡＰＮ、ＰＤＮコネクション又はベアラの情報を通知する。
【０２１９】
ＲＲＣ接続再設定を受信したＵＥ７０は、設定されていたＲＲＣ接続を、ＡＰＮ、ＰＤＮコネクション又はベアラに基づいて、再設定する。ＵＥ７０は、ＲＲＣ接続を再設定が完了したことを確認して、ＲＲＣ接続再設定完了の通知をＨｅＮＢ７０へ送信する（Ｓ３０１８）。ＲＲＣ接続再設定完了通知に、ＡＰＮ、ＰＤＮコネクション又はベアラを含める。
【０２２０】
ＲＲＣ接続再設定完了通知を受信したＨｅＮＢ６０は、ＡＰＮ又はＰＤＮコネクションに対応するＵＥ７０のＲＲＣ接続再設定が完了したことを確認する。さらに、ＨｅＮＢ６０は、Ｓ３０１４でＭＭＥ１０から送信されたベアラ変更要求に含められたＡＰＮ、ＰＤＮコネクション又はベアラにおいて、ＬＧＷ５０からＰＧＷ４０へのベアラの変更を確認し、ベアラ変更応答をＭＭＥ１０へ送信する（Ｓ３０２０）。ここで、ベアラ変更応答に、ベアラ変更された、ＡＰＮ、ＰＤＮコネクション又はベアラを含める。
【０２２１】
ＨｅＮＢ６０からベアラ変更応答を受信したＭＭＥ１０は、ＨｅＮＢ６０とＳＧＷ４０とのベアラからＨｅＮＢ６０とＬＧＷ５０とのベアラへ変更されたこを確認し、ベアラ変更応答をＬＧＷ３０へ送信する（Ｓ３０２２）。ここで、ベアラ変更応答にベアラが変更されたＡＰＮ又はＰＤＮコネクションを含める。ベアラ変更を受信したＬＧＷ５０は、ＡＰＮ又はＰＤＮコネクションに対応するベアラが変更されたことを確認する。
【０２２２】
また、ＭＭＥ１０は、ベアラ変更応答をＳＧＷ３０へ送信する（Ｓ３０２４）。ここで、ベアラ変更応答に、ベアラ変更されたＡＰＮ、ＰＤＮコネクション又はベアラを含める。ベアラ変更応答を受信したＳＧＷ３０は、ＡＰＮ、ＰＤＮコネクション又はベアラに対応するベアラが変更されたことを確認する。
【０２２３】
ＨｅＮＢ６０とのベアラが変更されたことを確認したＳＧＷ３０は、ベアラ変更応答をＰＧＷ４０へ送信する（Ｓ３０２６）。ここで、ベアラ変更応答に、ベアラ変更されたＡＰＮ、ＰＤＮコネクション又はベアラを含める。ＳＧＷ３０からベアラ変更応答を受信したＰＧＷ４０は、ＡＰＮ、ＰＤＮコネクション又はベアラに対応するＳＧＷ３０とのベアラが変更されたことを確認する。
【０２２４】
以上の手続きにより、ベアラ変更手続きを完了する。このベアラ変更手続きでは、ＵＥ７０が通知した許可情報に基づいて、ブロードバンドネットワーク７経由のオフロードによる通信をＭＭＥ１０がコアネットワーク３経由の通信に切り替える決定をし、ＰＧＷ４０及びＬＧＷ５０に通信路切り替えの指示を行う。
【０２２５】
通信路の切り替えにあたっては、ＭＭＥ１０は、ブロードバンドネットワーク７経由の通信を行う場合に用いたＬＧＷ５０からコアネットワーク３経由の通信を行う場合に用いたＰＧＷ４０へ、ゲートウェイを再選択して切り替えを行う。
【０２２６】
さらに、通信路切り替えにあたっては、コアネットワーク３経由で通信を行う際に利用するＰＧＷ４０とＵＥ７０を端点としたＰＤＮコネクションを確立し、ブロードバンドネットワーク７経由の通信（ＳＩＰＴＯ＠ＬＮ）を行っていた際に用いられていたＬＧＷ５０とＵＥ７０を端点としてＰＤＮコネクションから切り替えて通信を行う。ここで、それぞれのＰＤＮコネクションの識別子は、同じものを用いても良いし、異なる識別子をＭＭＥ１０が割り当ててＰＧＷ５０、ＨｅＮＢ５０、ＵＥ７０に通知しても良い。
【０２２７】
同じものを用いた場合には、ＵＥはＰＤＮコネクションの識別子が変わらないことから、ＰＤＮコネクションが変更されたことを知る必要がなくなる。その場合には、ＭＭＥ１０がＨｅＮＢへ送信するベアラ変更要求（Ｓ３０１４）や、ＨｅＮＢ６０とＵＥ７０間のＲＲＣ接続再設定処理（Ｓ３０１６、Ｓ３０１８）を行わなくても良い。このように、処理を簡易化することもできる。
【０２２８】
さらに、通信路切り替えにあたっては、ブロードバンドネットワーク７経由で通信（ＳＩＰＴＯ＠ＬＮ）を行う際に利用するベアラを確立し、コアネットワーク３経由で通信を行っていた際に用いられていたベアラから切り替えて通信を行う。ここで、それぞれのベアラの識別子は、同じものを用いても良いし、異なる識別子をＭＭＥ１０が割り当ててＰＧＷ４０、ＨｅＮＢ５０、ＵＥ７０に通知しても良い。
【０２２９】
同じものを用いた場合には、ＵＥはベアラの識別子が変わらないことから、ベアラが変更されたことを知る必要がなくなる。その場合には、ＭＭＥ１０がＨｅＮＢへ送信するベアラ変更要求（Ｓ３０１４）や、ＨｅＮＢ６０とＵＥ７０間のＲＲＣ接続再設定処理（Ｓ３０１６，Ｓ３０１８）を行わなくても良い。このように、処理を簡易化することもできる。
【０２３０】
図１３のベアラ変更手続き（Ｓ１３１０）以降の手続きは、第１実施形態と同様であるため説明を省略する。
【０２３１】
以上の手続きにより、ＨＳＳ２０にＳＩＰＴＯ＠ＬＮのＵＥ７０の許可情報が登録され、ＨＳＳ２０に、ＵＥ  ＩＤ、ＡＰＮ（又はＰＤＮコネクション）、ベアラＩＤで関連付けられたＵＥ７０におけるＳＩＰＴＯ＠ＬＮの許可情報、移動通信ネットワーク事業者におけるＳＩＰＴＯ＠ＬＮの許可情報及びブロードバンドネットワーク事業者におけるＳＩＰＴＯ＠ＬＮの許可情報それぞれにおいてＵＥの許可情報は「不許可」が登録された状態となり、ブロードバンドネットワーク７経由でオフロードされていたデータ通信は、コアネットワーク３を経由したデータ通信へ切り替えることが可能となる。
【０２３２】
これらの手続きは、ＵＥ７０の許可情報に基づいて行われ、ＵＥの許可情報がＡＰＮとともに通知された場合には、そのＡＰＮを用いた総ての通信が切り替わることになる。具体的には、そのＡＰＮを用いて確立した総てのＰＤＮコネクションもしくは総てのベアラが切り替わる。
【０２３３】
また、ＵＥの許可情報がＰＤＮコネクションの識別子と共に通知された場合には、ＰＤＮコネクション単位で切り替わる。
【０２３４】
さらに、ＵＥの許可情報がベアラの識別子と共に通知された場合には、ベアラ単位での切り替えが行われる。
【０２３５】
［４．第４実施形態］
続いて第４実施形態について説明する。本実施形態における移動通信システムは、第２実施形態で説明した構成と同様の構成が利用できる。また、コアネットワーク３、ブロードバンドネットワーク７、ホームネットワーク５のそれぞれの構成要素（装置）も同様に利用可能であるため、説明を省略する。
【０２３６】
第４実施形態では、ＵＥ７０が、ＨｅＮＢ６０からブロードバンドネットワーク７経由（ＳＩＰＴＯ＠ＬＮ）でのデータを送受信している状態において、ＵＥ７０が、ブロードバンドネットワーク７経由（ＳＩＰＴＯ＠ＬＮ）でのデータの送受信の許可情報を許可から不許可に変更した場合に、コアネットワーク３経由でのデータを送受信するための手続きについて説明する。
【０２３７】
第４実施形態では、ＵＥ７０がデータ送信を開始する場合、ＵＥ７０がＨｅＮＢ６０へ送信するサービス要求を行うことで、ＵＥのＳＩＰＴＯ＠ＬＮの許可情報を送信する。従来は、ＵＥ７０は新規ＰＤＮコネクションを確立するためにサービス要求手続きを開始するが、本実施形態では、ＳＩＰＴＯ＠ＬＮの通信許可／不許可を通知するために、既に隔離されていて通信中のＰＤＮコネクションを変更するためにサービス要求手続きを開始する。
【０２３８】
ＵＥ７０は、通信を開始するためのサービス要求を行う際に、ＳＩＰＴＯ＠ＬＮにおけるＵＥの許可情報を送信することによって、ＳＩＰＴＯ＠ＬＮのＵＥの許可情報をＭＭＥ１０へ通知し、ＨＳＳ２０へ登録することが可能となり、ブロードバンドネットワーク（ＳＩＰＴＯ＠ＬＮ）７経由でデータの送受信からコアネットワーク経由でのデータの送受信へ切り替えることが可能となる。
【０２３９】
上述した処理について、図１８を用いて説明する。まず、ＵＥ７０は、ＳＩＰＴＯ＠ＬＮの許可情報を「許可」から「不許可」へ変更することを決定する（Ｓ２００２）。
【０２４０】
ＵＥ７０は、ＨｅＮＢ６０へサービス要求メッセージを送信する（Ｓ２００４）。送信の契機はユーザによる手動操作によってＵＥ７０の許可情報を更新するなどを検知する。このとき、ＵＥ７０は、図１９（ａ）に示すように、サービス要求メッセージには、ＵＥ  ＩＤとＡＰＮと、ＵＥの許可情報とが含まれている。このとき、ＵＥ  ＩＤには「ＵＥ１」と、ＡＰＮには「インターネット」と、ＵＥの許可情報には「不許可」とが含まれている。
【０２４１】
ここで、図１９（ｂ）に示すように、サービス要求メッセージには、ＵＥ  ＩＤと、ＰＤＮコネクションと、ＵＥの許可情報とが含まれても良い。このとき、ＵＥ  ＩＤには「ＵＥ１」と、ＰＤＮコネクションには「ＰＤＮコネクション１」と、ＵＥの許可情報には「不許可」とが含まれている。または、図１９（ｃ）に示すようにＵＥ  ＩＤ、ベアラＩＤ、ＵＥの許可情報を含めても良い。
【０２４２】
これにより、ＵＥ７０は、ブロードバンドネットワーク７経由のオフロードされた通信（ＳＩＰＴＯ＠ＬＮ）をコアネットワーク３経由の通信を切り替えるよう要求する。この要求は、ＡＰＮを併せて通知することでＡＰＮ単位で要求することもできるし、ＰＤＮコネクション識別子を併せて通知することでＰＤＮコネクション単位で要求することもできるし、ベアラＩＤを併せて通知することでベアラ単位で要求することもできる。
【０２４３】
ＵＥ７０からサービス要求メッセージを受信したＨｅＮＢ６０は、サービス要求メッセージをＭＭＥ１０へ送信する（Ｓ２００６）。このとき、ＨｅＮＢ６０は、図２０（ａ）に示すように、サービス要求メッセージには、ＵＥ  ＩＤと、ＡＰＮと、ＵＥの許可情報とが含まれている。このとき、ＵＥ  ＩＤには「ＵＥ１」と、ＡＰＮには「インターネット」と、ＵＥの許可情報には「不許可」とが含まれている。
【０２４４】
ここで、図２０（ｂ）に示すように、サービス要求メッセージには、ＵＥ  ＩＤと、ＰＤＮコネクションと、ＵＥの許可情報とが含まれても良い。このとき、ＵＥ  ＩＤには「ＵＥ１」と、ＰＤＮコネクションには「ＰＤＮコネクション１」と、ＵＥの許可情報には「不許可」とが含まれている。または、図２０（ｃ）に示すようにＵＥ  ＩＤ、ベアラＩＤ、ＵＥの許可情報を含めても良い。
【０２４５】
ＵＥ  ＩＤ、ＡＰＮ、ＵＥの許可情報を受信したＭＭＥ１０は、ＵＥ  ＩＤと、ＡＰＮと、ＵＥの許可情報を関連付けてＳＩＰＴＯ許可情報管理テーブルに登録する。なお、ＵＥ  ＩＤ、ベアラＩＤ、ＰＤＮコネクション、ＵＥの許可情報を受信した場合には、ＵＥ  ＩＤと、ベアラＩＤと、ＰＤＮコネクションと、ＵＥの許可情報を関連付けて登録する。また、ＵＥ  ＩＤ、ベアラＩＤ、ＵＥの許可情報を受信した場合には、ＵＥ  ＩＤと、ベアラＩＤと、ＵＥの許可情報を関連付けて登録する。
【０２４６】
ＨｅＮＢ６０からサービス要求メッセージを受信したＭＭＥ１０は、ＨＳＳ２０へＵＥの許可情報の通知を送信する（Ｓ２００８）。ここで、ＵＥの許可情報の通知を送信するとは、ＵＥの許可情報通知メッセージが送信されることにより実行される。
【０２４７】
ここで、ＭＭＥ１０は、図２１（ａ）に示すように、ＵＥの許可情報通知メッセージに、ＵＥ  ＩＤと、ＡＰＮと、ＵＥの許可情報とが含まれて送信される。このとき、ＵＥ  ＩＤには「ＵＥ１」と、ＡＰＮには「インターネット」と、ＵＥの許可情報には「不許可」とが含まれている。
【０２４８】
ここで、図２１（ｂ）に示すように、ＵＥの許可情報通知メッセージに、ＵＥ  ＩＤと、ＰＤＮコネクションと、ＵＥの許可情報とが含まれても良い。このとき、ＵＥ  ＩＤには「ＵＥ１」と、ＰＤＮコネクションには「ＰＤＮコネクション１」と、ＵＥの許可情報には「不許可」とが含まれている。または、図２１（ｃ）に示すように、ＵＥの許可情報通知メッセージには、ＵＥ  ＩＤと、ベアラＩＤと、ＵＥの許可情報とを含めても良い。
【０２４９】
ＭＭＥ１０からＵＥ  ＩＤ、ＡＰＮ、ＵＥの許可情報を受信したＨＳＳ２０は、ＵＥ  ＩＤと、ＡＰＮと、ＵＥの許可情報とを関連付けてＳＩＰＴＯ許可情報管理テーブル２５２に登録する。ここで、ＨＳＳ２０が、ＭＭＥ１０からＵＥ  ＩＤと、ＰＤＮコネクションと、ＵＥの許可情報を受信している場合には、ＵＥ  ＩＤと、ＰＤＮコネクションと、ＵＥの許可情報とをＳＩＰＴＯ許可情報管理テーブル２５２に登録する。
【０２５０】
なお、ＵＥ  ＩＤ、ベアラＩＤ、ＰＤＮコネクション、ＵＥの許可情報を受信した場合には、ＵＥ  ＩＤと、ベアラＩＤと、ＰＤＮコネクションと、ＵＥの許可情報を関連付けて登録する。また、ＵＥ  ＩＤ、ベアラＩＤ、ＵＥの許可情報を受信した場合には、ＵＥ  ＩＤと、ベアラＩＤと、ＵＥの許可情報を関連付けて登録する。
【０２５１】
続いて、ＵＥ７０は、ベアラ変更手続きを開始する（Ｓ２０１０）。ＭＭＥ１０は、ＳＩＰＴＯ許可情報管理テーブルのＳＩＰＴＯ許可情報のそれぞれが総て「許可」となっていないことを検知して、対応付けられているベアラを抽出し、抽出されたベアラに対してベアラ変更手続きの開始を決定する。
【０２５２】
本実施形態では、ＵＥの許可情報が「許可」から「不許可」と変更されたことを検知し、総ての許可情報が「許可」となっていないこと（ＳＩＰＴＯ許可情報のいずれかが不許可）でベアラ変更手続きを行う。
【０２５３】
ＡＰＮ又はＰＤＮコネクションに対応付けられたベアラが複数確立されている場合には、それぞれに対してベアラ変更手続きを行う。このベアラ変更手続きは図２２で示す手続きで行われる。ベアラ変更手続きは第３実施形態と同様であるため説明を省略する。
【０２５４】
ベアラ変更手続きが完了した後、従来のサービス開始手続きに従い、ＭＭＥ１０はＨｅＮＢ６０へコンテキスト設定要求を送信し（Ｓ２０１２），ＨｅＮＢ６０とＵＥ７０は無線ベアラ設定を行い（Ｓ２０１４）、ＨｅＮＢ６０はＭＭＥ１０にコンテキスト完了通知を送信する（Ｓ２０１６）。これによりＵＥ７０とＨｅＮＢ６０との間の無線ベアラを確立するが、Ｓ２０１０で説明したベアラ変更手続き内でベアラは確立されているため、これらの手続きは行われなくても良い。
【０２５５】
以上の手続きにより、データ通信を開始する際に、サービス要求を行うことにより、ＨＳＳ２０に、ＵＥ  ＩＤ、ＡＰＮ（又はＰＤＮコネクション）及びベアラＩＤで関連付けられたＵＥ７０におけるＳＩＰＴＯ＠ＬＮの許可情報と、ブロードバンドネットワーク事業者におけるＳＩＰＴＯ＠ＬＮにおけるいずれかの許可情報において「不許可」が登録された状態となり、ＵＥ７０はＨｅＮＢ６０からブロードバンドネットワーク７経由でのデータ通信ではなく、ＨｅＮＢ６０からコアネットワーク３経由でのデータ通信（ＳＩＰＴＯ＠ＬＮ）を行うことが可能となる。
【０２５６】
これらの手続きは、ＵＥ７０の許可情報に基づいて行われ、ＵＥの許可情報がＡＰＮとともに通知された場合には、そのＡＰＮを用いた総ての通信が切り替わることになる。具体的には、そのＡＰＮを用いて確立した総てのＰＤＮコネクションもしくは総てのベアラが切り替わる。
【０２５７】
また、ＵＥの許可情報がＰＤＮコネクションの識別子と共に通知された場合には、ＰＤＮコネクション単位で切り替わる。
【０２５８】
さらに、ＵＥの許可情報がベアラの識別子と共に通知された場合には、ベアラ単位での切り替えが行われる。
【０２５９】
［５．変形例］
上述した実施形態は、本発明を説明するために例示した実施形態であり、具体的な構成もこの実施形態に限られるものではなく、この発明の要旨を逸脱しない範囲の設計等も特許請求の範囲に含まれるのは勿論である。
【０２６０】
また、ＵＥの許可情報の通知方法についても、上述した方法に関わらず、別の手段を用いて行っても良い。例えば、ＵＥ７０とＭＭＥ１０との間のインタフェースで送受信が行われているＮＡＳシグナリングメッセージに含めて、ＵＥ７０がＭＭＥ１０に通知してもよい。もちろんＮＡＳシグナリングメッセージに関わらず、ＵＥ７０がＭＭＥ１０に送信できる別の手段であってもよい。
【０２６１】
もしくは、ＵＥ７０は、ＨＳＳ２０へ直接通知してもよい。ＨＳＳ２０は受信した情報をＭＭＥ１０に通知することで、ＭＭＥ１０はＵＥの許可情報をＳＩＰＴＯ許可情報管理テーブルに登録することができる。
【０２６２】
こうした方法により、ＵＥ７０の許可情報を、ＭＭＥ１０はＳＩＰＴＯ許可情報管理テーブル１５２に、ＨＳＳ２０はＳＩＰＴＯ許可情報管理テーブル２５２に登録することができる。
【０２６３】
これにより、その後ＭＭＥ１０は、ＳＩＰＴＯ許可情報管理テーブル１５２を参照し、許可情報に基づいて、ベアラ変更手続きを行うことができる。
【０２６４】
総ての許可情報が「許可」されている場合には、ブロードバンドネットワーク７経由でオフロードされた通信をしているか否かを判断する。
【０２６５】
ブロードバンドネットワーク７経由でオフロードされた通信（ＳＩＰＴＯ＠ＬＮ）をしていない場合には、コアネットワーク３経由の通信路をブロードバンドネットワーク７経由でオフロードされた通信路（ＳＩＰＴＯ＠ＬＮ）に切り替えるベアラ変更手続きを行うことができる。総ての許可情報が「許可」とされていない場合には、ブロードバンドネットワーク７経由でオフロードされた通信をしているか否かを判断する。
【０２６６】
ブロードバンドネットワーク７経由でオフロードされた通信（ＳＩＰＴＯ＠ＬＮ）をしている場合には、ブロードバンドネットワーク７経由でオフロードされた通信路（ＳＩＰＴＯ＠ＬＮ）をコアネットワーク３経由の通信路に切り替えるベアラ変更手続きを行うことができる。
【０２６７】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２６８】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２６９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２７０】
また、上述した実施形態における各装置の一部又は全部を典型的には集積回路であるＬＳＩ（Large Scale Integration）として実現してもよい。各装置の各機能ブロックは個
別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０２７１】
また、各実施形態において、ＭＭＥ１０が開始するベアラ変更手続きを詳述してきた。ＭＭＥ１０がベアラ書変更手続きを開始する契機はこれらに限らず、例えば、ＵＥの通知情報が口頭でネットワーク事業者に伝えられ、ネットワーク事業者がＨＳＳ２０へ登録し、ＨＳＳ２０がＭＭＥ１０に登録されたＵＥの許可情報を通知することで、ＭＭＥ１０はベアラ変更手続きを開始してもよい。
【０２７２】
または、ＵＥは許可情報をＨＳＳ２０へ直接通信により通知する手段を持ち、ＨＳＳ２０は許可情報を登録後、ＭＭＥ１０に登録されたＵＥの許可情報を通知することで、ＭＭＥ１０はベアラ変更手続きを開始してもよい。
【０２７３】
このように、ＭＭＥ１０がベアラ変更手続きの開始契機に限られるものではなく、発明の要旨を逸脱しない範囲の設計等も特許請求の範囲に含まれるのは勿論である。
【符号の説明】
【０２７４】
１  移動通信システム
３  コアネットワーク
１０  ＭＭＥ
１００  制御部
１１０  送受信部
１５０  記憶部
１５２  ＳＩＰＴＯ許可情報管理テーブル
２０  ＨＳＳ
２００  制御部
２１０  送受信部
２５０  記憶部
２５２  ＳＩＰＴＯ許可情報管理テーブル
２５  ＧＷ
３０  ＳＧＷ
３００  制御部
３１０  第１送受信部
３２０  第２送受信部
３５０  記憶部
３５２  ＳＩＰＴＯ許可情報管理テーブル
４０  ＰＧＷ
５  ホームネットワーク
５０  ＬＧＷ
５００  制御部
５１０  コアネットワークインタフェース部
５２０  ブロードバンドネットワークインタフェース部
５３０  ホームネットワークインタフェース部
５４０  ローカルＩＰアドレス生成部
５５０  記憶部
５５２  ＳＧＷアドレス
５５４  外部アドレス
５５６  ローカルＩＰアドレス
６０  ＨｅＮＢ
６００  制御部
６１０  ＬＴＥ基地局部
６１２  アンテナ
６２０  ホームネットワークインタフェース部
６５０  記憶部
６５２  ＳＩＰＴＯ許可情報管理テーブル
７０  ＵＥ
７００  制御部
７１０  ＬＴＥインタフェース部
７１２  アンテナ
７５０  記憶部
７５２  ＳＩＰＴＯ許可情報管理テーブル
７  ブロードバンドネットワーク
【図１９】
2013017091.tif 000003
【図２０】
2013017091.tif 000004
【図１】
2013017091.tif 000005
【図２】
2013017091.tif 000006
【図３】
2013017091.tif 000007
【図４】
2013017091.tif 000008
【図５】
2013017091.tif 000009
【図６】
2013017091.tif 000010
【図７】
2013017091.tif 000011
【図８】
2013017091.tif 000012
【図９】
2013017091.tif 000013
【図１０】
2013017091.tif 000014
【図１１】
2013017091.tif 000015
【図１２】
2013017091.tif 000016
【図１３】
2013017091.tif 000017
【図１４】
2013017091.tif 000018
【図１５】
2013017091.tif 000019
【図１６】
2013017091.tif 000020
【図１７】
2013017091.tif 000021
【図１８】
2013017091.tif 000022
【図２１】
2013017091.tif 000023
【図２２】
2013017091.tif 000024